(57)【要約】      （修正有）【課題】車輪用軸受を車両から取り外すことなく、その情報を容易に確認することができ、定期点検やその他の点検時等に、迅速かつ適切に対処できる品質管理方法を提供する。また、トレーサビリティの程度を高め、鍛造・旋削工程、熱処理工程、研削工程等の加工条件情報の確認が、出荷後あるいは客先納入後においても容易に行えるようにする。【解決手段】車輪用軸受１につき、非接触で情報の記録および読取りが可能なＩＣタグ９を用い、所定情報を記録して管理する。車輪用軸受１にＩＣタグ９を取付ける過程と、そのＩＣタグ９に情報を記録する過程と、出荷後の任意時に、ＩＣタグ９の記録情報を読み取って行う利用過程とを含む。ＩＣタグ９は、車輪用軸受１を構成する内外輪やハブ輪等の要素品、またはセンサ関連部品等のいずれかに対して取付け、識別番号、製造年、製造場所の情報等を記録する。また、要素品についての製造に関する情報を記録する。【選択図】図１５
2006048469.tif 000002
【特許請求の範囲】
【請求項１】
車輪用軸受につき、非接触で情報の記録および読取りが可能なＩＣタグを用い、車輪用軸受に関する所定情報を記録して管理する車輪用軸受の品質管理方法であって、車輪用軸受にＩＣタグを取付ける過程と、この車輪用軸受に取付けられたＩＣタグに、その車輪用軸受についての情報を記録する過程と、出荷後の任意時に、上記ＩＣタグの記録情報を読み取ってその読み取り情報から、所定情報の確認を行う利用過程とを含む車輪用軸受の品質管理方法。
【請求項２】
請求項１において、上記利用過程のＩＣタグの読み取りは、車輪用軸受が自動車に組付けられた状態のままで、タグリーダを用いて行い、このタグリーダに一体化された情報処理手段または上記タグリーダに有線または無線で接続された情報処理手段により、所定の点検対象の軸受であるか否かの判定を行う処理を含む車輪用軸受の品質管理方法。
【請求項３】
車輪用軸受につき、非接触で情報の記録および読取りが可能なＩＣタグを用い、車輪用軸受に関する所定情報を記録して管理する車輪用軸受の品質管理方法であって、
車輪用軸受にＩＣタグを、この車輪用軸受を構成する複数の要素品のいずれかに対して取付ける過程と、
この車輪用軸受に取付けられたＩＣタグに、その車輪用軸受についての製造工程における情報を記録する過程と、
出荷後の任意時に、上記ＩＣタグの記録情報を読み取ってその読み取り情報から、所定情報の確認を行う過程とを含む、
車輪用軸受の品質管理方法。
【請求項４】
請求項３において、前記複数の要素品のうち、鍛造品における非機械加工仕上面に、その面の加工完了後に前記ＩＣタグを取付け、このＩＣタグに、前記鍛造品における鍛造後の各製造工程の製造情報を、各製造工程で記録する車輪用軸受の品質管理方法。
【請求項５】
請求項４において、前記鍛造後の各製造工程として、熱処理工程、旋削工程、および研削工程を含む車輪用軸受の品質管理方法。
【請求項６】
請求項１ないし請求項５のいずれか１項において、車輪用軸受を構成する複数の要素品に前記ＩＣタグを取付け、各ＩＣタグの取付けられた要素品毎の製造情報を、前記各ＩＣタグにそれぞれ記録する車輪用軸受の品質管理方法。
【請求項７】
請求項１ないし請求項６のいずれか１項において、車輪用軸受がこの車輪用軸受についての検出対象を検出するセンサを有するものであり、このセンサの検査時に、センサ関連部品に車輪用軸受についての情報を記録する車輪用軸受の品質管理方法。
【請求項８】
車輪用軸受について、車輪用軸受の識別情報に関連付けてその車輪用軸受に関する所定の製造情報を記憶し、記憶内容を上記識別情報により抽出可能なデータベースと、非接触で情報の記録および読取りが可能なＩＣタグとを用いる車輪用軸受の品質管理方法であって、
車輪用軸受にＩＣタグを、この車輪用軸受を構成する複数の要素品のいずれかに対して取付ける過程と、
上記ＩＣタグに、上記データベースに従い出荷時、または客先納入時までに、その車輪用軸受についての識別情報を記録し、かつその車輪用軸受についての製造工程における情報を記録する過程と、
出荷後の任意時に、上記ＩＣタグの記録情報を読み取ってその読み取り情報から、または読み取り情報を上記データベースと照合して得られた情報から、前記製造工程における情報の確認を行う情報読取り利用過程とを含む、
車輪用軸受の品質管理方法。
【請求項９】
車輪用軸受につき、所定の製造情報を記憶し、その記憶内容を抽出可能なデータベースと、非接触で情報の記録および読取りが可能なＩＣタグとを用いた車輪用軸受の品質管理方法であって、
車輪用軸受にＩＣタグを、この車輪用軸受を構成する複数の要素品のいずれかに対して取付ける過程と、
上記車輪用軸受に取付けられたＩＣタグに、上記データベースに従いその車輪用軸受についての所定の出荷情報を書き込む過程と、
出荷後の任意時に、上記ＩＣタグの記録情報を読み取ってその読み取り情報から、または読み取り情報を上記データベースと照合して得られた情報から、車輪用軸受についての情報を確認する過程とを含む、
車輪用軸受の品質管理方法。
【請求項１０】
請求項９において、上記ＩＣタグに書き込む車輪用軸受についての上記所定の出荷情報は、その車輪用軸受についての識別情報を含み、上記データベースは、車輪用軸受の識別情報に関連付けてその車輪用軸受に関する所定の製造情報を記憶し、記憶内容を上記識別情報により抽出可能なものである車輪用軸受の品質管理方法。
【請求項１１】
請求項９または請求項１０において、上記ＩＣタグに書き込む車輪用軸受についての所定の出荷情報として、製造年についての情報を含む車輪用軸受の品質管理方法。
【請求項１２】
請求項９ないし請求項１１のいずれか１項において、上記ＩＣタグに書き込む車輪用軸受についての所定の出荷情報として、製造場所について情報を含む車輪用軸受の品質管理方法。
【請求項１３】
車輪用軸受につき、非接触で情報の記録および読取りが可能なＩＣタグを用い、車輪用軸受に関する材料購入から、鍛造および旋削のうちの少なくとも一方の工程、熱処理工程、研削工程等の各製造工程、並びに検査に至る所定の製造情報を記録して車輪用軸受を管理する品質管理方法であって、
車輪用軸受の製造時または製造完了時にＩＣタグを、この車輪用軸受を構成する複数の要素品のいずれかに取付ける過程と、
この車輪用軸受に取付けられたＩＣタグに、出荷時または客先納入時までに、その車輪用軸受についての前記各製造工程のうちの少なくとも一つの工程における加工条件情報および材料情報の少なくとも一方を記録する過程と、
上記出荷後の任意時に、上記ＩＣタグの記録情報を読み取ってその読み取り情報から、上記加工条件情報および材料情報の少なくとも一方の確認を行う情報読取り利用過程とを含む、
車輪用軸受の品質管理方法。
【請求項１４】
車輪用軸受につき、識別情報に関連付けてその車輪用軸受に関する材料購入から、鍛造および旋削のうちの少なくとも一方の工程、熱処理工程、研削工程等の各製造工程、および検査に至る所定の製造情報を記憶し、記憶内容を上記識別情報により抽出可能なデータベースと、非接触で情報の記録および読取りが可能なＩＣタグとを用いて車輪用軸受を管理する品質管理方法であって、
車輪用軸受の製造時または製造完了時にＩＣタグを、この車輪用軸受を構成する複数の要素品のいずれかに取付ける過程と、
上記車輪用軸受に取付けられたＩＣタグに、上記データベースに従い出荷時、または客先納入時までに、その車輪用軸受についての識別情報を記録し、かつその車輪用軸受についての前記各製造工程のうちの少なくとも一つの工程における加工条件情報および材料情報の少なくとも一方を記録する過程と、
上記出荷後の任意時に、上記ＩＣタグの記録情報を読み取ってその読み取り情報から、または読み取り情報を上記データベースと照合して得られた情報から、購入材料の確認、製造工程の確認、その加工条件情報および材料情報の少なくとも一方の確認、および検査成績の確認のいずれかを行う情報読取り利用過程とを含む、
車輪用軸受の品質管理方法。
【請求項１５】
車輪用軸受につき、識別情報に関連付けてその車輪用軸受に関する材料購入から、鍛造および旋削のうちの少なくとも一方の工程、熱処理工程、研削工程等の各製造工程、並びに検査に至る所定の製造情報を記憶し、記憶内容を上記識別情報により抽出可能なデータベースと、非接触で情報の記録および読取りが可能なＩＣタグとを用いて車輪用軸受を管理する品質管理方法であって、
車輪用軸受の製造時または製造完了時にＩＣタグを、この車輪用軸受を構成する複数の要素品のいずれかに取付ける過程と、
上記車輪用軸受に取付けられたＩＣタグに、上記データベースに従い出荷時、または客先納入時までに、その車輪用軸受についての識別情報を書き込み、かつその車輪用軸受についての製造年月日、製造場所、封入グリース銘柄、要素品間隙間、品質保証期間、取扱いに関する注意事項のうち、少なくとも一つの情報を記録する過程と、
上記出荷後の任意時に、上記ＩＣタグの記録情報を読み取ってその読み取り情報から、または読み取り情報を上記データベースと照合して得られた情報から、購入材料の確認、製造工程の確認、その加工条件および材料情報の少なくとも一方の確認、および検査成績の確認のいずれかを行う情報読取り利用過程とを含む、
車輪用軸受の品質管理方法。
【請求項１６】
請求項１３ないし請求項１５のいずれか１項において、上記車輪用軸受の上記要素品の材料購入から鍛造および旋削のうちの少なくとも一方の工程、熱処理工程、および研削工程に至る所定の製造情報を、要素品のロット番号別に準備された製造過程用のＩＣタグに各工程毎に記録する過程と、この記録した情報を読み取ってその読み取り情報の一部または全体を上記車輪用軸受に取付けられたＩＣタグに記録する過程とを含み、上記製造過程用のＩＣタグに記録する製造情報として、前記各製造工程のうちの少なくとも一つの工程における加工条件情報および材料情報の少なくとも一方を含む車輪用軸受の品質管理方法。
【請求項１７】
請求項１３ないし請求項１５のいずれかに１項において、上記車輪用軸受の上記要素品の材料購入から鍛造および旋削のうちの少なくとも一方の工程、熱処理工程、研削工程等の各製造工程、並びに検査に至る所定の製造情報を、製造時管理用のデータベースに要素品のロット番号または要素品個別の識別番号に関連付けて記録する過程と、この記録した情報を、上記機械要素商品に取付けられたＩＣタグに記録する過程とを含む車輪用軸受の品質管理方法。
【請求項１８】
材料購入から、鍛造および旋削の少なくとも一方の工程である鍛造・旋削工程、熱処理工程、および研削工程を経て製造される要素品を複数種類含んで組み立てられ、個別に検査される車輪用軸受の品質管理方法であって、上記各要素品について、
これら各要素品の材料購入時に、材料ロット別に準備されたＩＣタグに、対応する材料ロットについての材料ロット番号および購入材料に関する情報を記録する過程と、
上記鍛造・旋削工程で、上記材料ロット別のＩＣタグまたはこの材料ロット別のＩＣタグの記録情報を引き継いだＩＣタグを鍛造・旋削ロット別に準備し、これらのＩＣタグに、対応する鍛造・旋削ロットについての鍛造・旋削ロット番号および鍛造・旋削工程で得られる情報を記録する過程と、
上記熱処理工程で、鍛造ロット別のＩＣタグまたはこの鍛造ロット別のＩＣタグの記録情報を引き継いだＩＣタグを熱処理ロット別に準備し、これらのＩＣタグに、対応する熱処理ロットについての熱処理ロット番号および熱処理工程で得られる情報を記録する過程と、
上記研削工程の後の検査工程で、熱処理ロット別のＩＣタグまたはこの熱処理ロット別のＩＣタグの記録情報を引き継いだＩＣタグを、要素品毎または検査の単位となる同種類の要素品の組毎に準備し、これらＩＣタグに、対応する研削ロット番号および検査工程で得られる情報を記録する過程とを含み、かつ
上記各要素品を組み立てた各車輪用軸受に、組立前から組立後に至る間にＩＣタグを取付け、この車輪用軸受に取付けられたＩＣタグに、個別の車輪用軸受特有の製造番号、および上記車輪用軸受に用いられた各要素品の上記検査工程後のＩＣタグの記録情報のうち、少なくとも製造番号を記録し、データベースには上記製造番号と対応して、上記車輪用軸受に用いられた各要素品の上記検査工程後のＩＣタグの記録情報、および車輪用軸受の完成後の検査情報を記録する過程、
とを含む車輪用軸受の品質管理方法。
【請求項１９】
材料購入から、鍛造および旋削の少なくとも一方の工程である鍛造・旋削工程、熱処理工程、および研削工程を経て製造される要素品を複数種類含んで組み立てられ、ロット別に検査される車輪用軸受の品質管理方法であって、上記各要素品について、
これら各要素品の材料購入時に、材料ロット別に準備されたＩＣタグに、対応する材料ロットについての材料ロット番号および購入材料に関する情報を記録する過程と、
上記鍛造・旋削工程で、上記材料ロット別のＩＣタグまたはこの材料ロット別のＩＣタグの記録情報を引き継いだＩＣタグを鍛造・旋削ロット別に準備し、これらのＩＣタグに、対応する鍛造・旋削ロットについての鍛造・旋削ロット番号および鍛造・旋削工程で得られる情報を記録する過程と、
上記熱処理工程で、鍛造・旋削ロット別のＩＣタグまたはこの鍛造・旋削ロット別のＩＣタグの記録情報を引き継いだＩＣタグを熱処理ロット別に準備し、これらＩＣタグに、対応する熱処理ロットについての熱処理ロット番号および熱処理工程で得られる情報を記録する過程と、
上記研削工程の後の検査工程で、熱処理ロット別のＩＣタグまたはこの熱処理ロット別のＩＣタグの記録情報を引き継いだＩＣタグを研削ロット別に準備し、これらＩＣタグに、対応する研削ロットについての研削ロット番号および検査工程で得られる情報を記録する過程とを含み、かつ
上記各要素品を組み立てた各車輪用軸受に、組立前から組立後に至る間にＩＣタグを取付け、この車輪用軸受に取付けられたＩＣタグに、製造ロット番号、および上記車輪用軸受に用いられた各要素品の上記検査工程後のＩＣタグの記録情報のうち、少なくとも製造ロット番号を記録し、データベースに上記製造ロット番号と対応して、上記車輪用軸受に用いられた各要素品の上記検査工程後のＩＣタグの記録情報、および車輪用軸受の完成後の検査情報を記録する過程、
とを含む車輪用軸受の品質管理方法。
【請求項２０】
請求項１８または請求項１９において、上記材料ロット別に準備されるＩＣタグ、鍛造・旋削ロット別に準備されるＩＣタグ、および熱処理工程別に準備されるＩＣタグは、同じ材料ロットの材料を複数入れた容器類、同じ鍛造・旋削ロットの要素品を複数入れた容器類、および同じ熱処理ロットの要素品を入れた容器類にそれぞれ取付ける車輪用軸受の品質管理方法。
【請求項２１】
請求項１８または請求項１９において、上記車輪用軸受が、材料購入から、鍛造・旋削工程、熱処理工程、および研削工程を経て製造される要素品とは別の要素品を含むものであり、この別の要素品についの情報は、車輪用軸受の組み立て後に上記データベースに製造番号またはロット番号に対応させて記録する車輪用軸受の品質管理方法。
【請求項２２】
請求項１ないし請求項２０のいずれか１項において、上記車輪用軸受が車輪用軸受であり、上記材料購入から、鍛造および旋削のうちの少なくとも一方の工程、熱処理工程、および研削工程を経て製造される要素品として、外輪、内輪、および転動体を含む車輪用軸受の品質管理方法。
【請求項２３】
請求項１ないし請求項２２のいずれか１項において、上記材料購入から、鍛造および旋削のうちの少なくとも一方の工程、熱処理工程、および研削工程を経て製造される要素品として、外輪、内輪、ハブ輪、および転動体を含む車輪用軸受の品質管理方法。
【請求項２４】
請求項１ないし請求項２３のいずれか１項において、上記車輪用軸受は、組み立て時にグリースが封入されるものであり、上記車輪用軸受に取付けられたＩＣタグに、その車輪用軸受の組み立て年月日を記録する車輪用軸受の品質管理方法。
【請求項２５】
請求項１ないし請求項２３のいずれか１項において、上記車輪用軸受に取付けられたＩＣタグに、その車輪用軸受の出荷から客先納入までの所在等の情報を記録する車輪用軸受の品質管理方法。
【発明の詳細な説明】
【技術分野】
【０００１】
この発明は、自動車等の車両に用いられる車輪用軸受の品質を、ＩＣタグを用いて管理し、トレーサビリティや、定期点検への対応の容易化を可能とした車輪用軸受の品質管理方法に関する。
【背景技術】
【０００２】
自動車において、同じ車種であっても、車輪用軸受等の軸受につき、どの工場でいつ製造されたものを用いているか、あるいは軸受の製造番号などは管理されていない。
【０００３】
また、近年、トレーサビリティの要求、つまり考慮の対象となっているものの履歴、適用または所在の追跡ができることの要求が高くなってきている。軸受等の機械要素商品の品質管理では、材料購入から製造完了までの各製造工程（材料購入、鍛造工程、熱処理工程、研削工程等）の品質，ロット等の製造履歴が、各機械要素商品と１対１、またはロット単位で分かるようにすることが望まれる。
自動車において、一般品の場合は、ロット管理となり、ロット単位で抜き取り検査等が行われるため、ロット単位で製造履歴が求められる。製造履歴がわかることで、将来の改善等の対処が容易となり、寿命診断も容易となる。また類似品の混入判別等も容易となる。特殊品では、個別に検査がなされており、１対１に対応して製造履歴がわかるようにすることが求められる。
このような製造履歴を明確にする品質管理方法として、従来は、工程毎に発生した情報を、伝票に記入したり、データベースの端末への入力を行う等して対処している。
【０００４】
一方、物流管理や在庫管理で、ＩＣタグが用いられつつあり、自動車等の物品の製造においてもＩＣタグを用いた製造から廃棄までの管理が提案されている（例えば特許文献(1) 。ＩＣタグは、非接触で情報の記録および読取りが可能であり、また記憶容量が大きいことから、高度の管理が期待されている。
【特許文献１】特開２００２−１６９８５８号公報
【発明の開示】
【発明が解決しようとする課題】
【０００５】
車輪用軸受において、定期点検やその他の必要時に点検を行う時に、軸受の製造番号等の識別情報が判れば判別できる。また、車輪用軸受に刻印等に表示されている製造番号、あるいは製造年や製造場所の情報からも判別できる。
しかし、車輪用軸受に刻印等で付された製造番号や製造年や製造場所等の表示は、軸受を軸受ハウジングとなる部材から分解して見ないとわからない。そのため、分解および再組立の作業に手間がかかる。一般的には、車輪用軸受を取り外して製造番号等の情報を確認しなくてはならず、多大な手間と費用がかかっている。
【０００６】
また、従来のＩＣタグを用いた品質管理方法の提案例では、機械要素商品に取付けられたＩＣタグに機械要素商品に関する各種の情報を直接に記録し、またはＩＣタグには識別情報を記録しておいて、データベースと照合することで、機械要素商品の材質やロット管理情報、各種履歴データ等がわかるようにされている。しかし、機械要素商品に関する上記の情報だけでは、機械要素商品に生じた技術的現象が解明できない場合がある。例えば、各工程の加工条件の違い等によっても、品質に差が生じることがあり、このような加工条件の違いによる差は、検査結果からでは認識することができないことがある。
車輪用軸受は、複数の要素品で構成されており、組立後の車輪用軸受自体の検査結果等が分かっても、個々の要素品の品質の違いによる不具合までは特定できない。転動体を有する機械要素商品である車輪用軸受では、わずかな材質や精度の違いが車輪用軸受として大きな性能の差となるため、従来のＩＣタグを用いた品質管理方法の提案例では対応が難しい。
【０００７】
また、工程管理においても、従来の工程毎に伝票記入や端末入力を行う管理方法では、記入や入力に手間がかかるため、多数の情報をきめ細かく記録することが難しい。特に、車輪用軸受のように複数の要素品を組み立てたものであって、各要素品が材料購入から鍛造工程、熱処理工程、および研削工程を経て、工程毎にロット生産されるものでは、各要素品の製造工程における管理が煩雑であり、情報の手書きによる記録や入力操作に手間がかかる。そのため、車輪用軸受の詳細な履歴情報の要求に十分に応じることが難しく、また管理にコストがかかる。
【０００８】
そのため、ＩＣタグの適用を考えたが、車輪用軸受では、自動車自体のような管理を適用することができない。特許文献１の提案例では、管理対象となる物品である自動車にＩＣタグを取付け、各工程の情報を記録している。ＩＣタグはフレーム等に取付ける。しかし、転がり軸受である車輪用軸受では、自動車におけるフレーム等のように完成した基準となる要素品がなく、製造過程では各要素品が鍛造や熱処理等を経て製造されるため、車輪用軸受にＩＣタグを取付けることが難しい。また、転がり軸受である車輪用軸受では、内輪、外輪、転動体、あるいはハブ輪等のそれぞれが、材料購入、鍛造工程、熱処理工程、研削工程等を経て管理されるため、ＩＣタグを品質管理に適用しようとした場合に、具体的にどのように用いるかが問題であり、効率的なＩＣタグの適用が難しい。
【０００９】
この発明の目的は、軸受を分解することなく簡単にかつ即座に製造履歴が分かり、定期点検等に対して迅速かつ適切に対処できる車輪用軸受の品質管理方法を提供することである。
この発明の他の目的は、個々の要素品についての製造情報を製造過程でＩＣタグに記録可能とすることである。
この発明のさらに他の目的は、出荷時のＩＣタグへの記録が効率良く行えるようにすることである。
この発明の他の目的は、トレーサビリティの程度を高め、鍛造・旋削工程、熱処理工程、研削工程等の加工条件情報を、出荷後あるいは客先納入後においても容易に確認することのできる車輪用軸受の品質管理方法を提供することである。
この発明の他の目的は、個別に検査される車輪用軸受であって、鍛造・旋削工程や熱処理工程等を経てそれぞれが製造される複数の要素品を組み立てなる車輪用軸受につき、各要素品の材料購入から車輪用軸受の完成後の検査内容まで、詳細な履歴情報を、車輪用軸受と１対１の関係で容易に管理することのできる車輪用軸受の品質管理方法を提供することである。
この発明のさらに他の目的は、ロット別に検査される車輪用軸受であって、鍛造・旋削工程や熱処理工程等を経てそれぞれが製造される複数の要素品を組み立てなる車輪用軸受につき、各要素品の材料購入から機械要素商品の完成後の検査内容まで、詳細な履歴情報を、車輪用軸受の製造ロット別に容易に管理することのできる車輪用軸受の品質管理方法を提供することである。
【課題を解決するための手段】
【００１０】
この発明の車輪用軸受の品質管理方法は、車輪用軸受につき、非接触で情報の記録および読取りが可能なＩＣタグを用い、車輪用軸受に関する所定情報を記録して管理する車輪用軸受の品質管理方法であって、車輪用軸受にＩＣタグを取付ける過程と、この車輪用軸受に取付けられたＩＣタグに、その車輪用軸受についての情報を記録する過程と、出荷後の任意時に、上記ＩＣタグの記録情報を読み取ってその読み取り情報から、所定情報の確認を行う過程とを含む。
この発明方法において、上記利用過程のＩＣタグの読み取りは、車輪用軸受が自動車に組付けられた状態のままで、タグリーダを用いて行い、このタグリーダに一体化された
情報処理手段または上記タグリーダに有線または無線で接続された情報処理手段により、所定の点検対象の軸受であるか否かの判定を行う処理を含むようにしても良い。
【００１１】
この方法によると、車輪用軸受に取付けられたＩＣタグに、その車輪用軸受についての情報を記録しておくため、出荷後の任意時に、車輪用軸受にタグリーダを近づけることで、ＩＣタグの記録情報を読み取り、所定情報の確認が行える。タグリーダに点検対象軸受の範囲等の情報を持っておけば、読み取り情報から、軸受の情報入手も行える。そのため、車輪用軸受を自動車から分解することなく、例えばサービスマンが客先に伺ったり、ガソリンスタンド等で給油の合間等に軸受の情報を得て、その場で所定情報の確認が可能である。
この発明の車輪用軸受の品質管理方法は、次の第１ないし第５の車輪用軸受の品質管理方法を含む。
【００１２】
この発明における第１の車輪用軸受の品質管理方法は、車輪用軸受につき、非接触で情報の記録および読取りが可能なＩＣタグを用い、車輪用軸受に関する所定情報を記録して管理する車輪用軸受の品質管理方法であって、
車輪用軸受にＩＣタグを、この車輪用軸受を構成する複数の要素品のいずれかに対して取付ける過程と、
この車輪用軸受に取付けられたＩＣタグに、その車輪用軸受についての製造工程における情報を記録する過程と、
出荷後の任意時に、上記ＩＣタグの記録情報を読み取ってその読み取り情報から、所定情報の確認を行う過程とを含む。
【００１３】
第１の車輪用軸受の品質管理方法において、前記複数の要素品のうち、鍛造品における非機械加工仕上面に、その面の加工完了後に前記ＩＣタグを取付け、このＩＣタグに、前記鍛造品における鍛造後の各製造工程の製造情報を、各製造工程で記録するようにしても良い。
車輪用軸受では、ハブ輪や内輪、あるいは外輪となる部材は一般に鍛造で製造される。この鍛造品は、形状や寸方精度の要求される箇所は旋削され、転走面ではさらに研削，研磨等が施されるが、鍛造状態のままで、あるいはショットブラスト等を施して、旋削等の機械加工を施さずに残される面もある。このような鍛造仕上げとなる面をＩＣタグの取付に利用し、鍛造完了後に取付けておくことにより、後の各工程の情報を、その工程毎にＩＣタグに書き込むことが可能になる。そのため、加工情報や検査結果等の製造情報のＩＣタグへの書き込みが効率的に行える。
【００１４】
例えば、前記鍛造後の各製造工程として、熱処理工程、旋削工程、および研削工程を含むことが一般的であり、これらの各工程の製造情報を工程毎に、前記鍛造品に取付けられたＩＣタグに記録しても良い。
【００１５】
この発明方法において、複数の要素品に前記ＩＣタグを取付け、各ＩＣタグの取付けられた要素品毎の製造情報を、前記各ＩＣタグにそれぞれ記録しても良い。この要素品は、複数の構成体からなるセンサ等のサブアセンブリであっても良い。
要素品毎の製造情報が分かれば、定期検査や他の必要時の検査において、より詳細な検証が行える。要素品毎の情報を後に知ることは、今までの管理方法では難しいが、要素品毎にＩＣタグを取付けることで可能になる。前記のようにＩＣタグを鍛造品における非機械加工仕上面に取付けるようにした場合は、要素品毎にＩＣタグを取付けてその要素品毎の製造情報を記録することが容易に行える。
【００１６】
車輪用軸受が、この車輪用軸受についての検出対象を検出するセンサを有するものである場合は、このセンサの検査時に、センサ関連部品に車輪用軸受についての情報を記録しても良い。上記センサは、例えば、アンチロッチブーキシステムの制御等のために設けられる回転センサ等である。
車輪用軸受において、回転センサ等のセンサを設けた場合、そのセンサは、一般的に出荷時に全数検査される。そのため、その検査時に出荷時の初期性能等の情報をＩＣタグに記録することができる。記録した情報は、調査等の必要なときに、いつでも読み出すことができる。
【００１７】
この発明における第２の車輪用軸受の品質管理方法は、車輪用軸受につき、車輪用軸受の識別情報に関連付けてその車輪用軸受に関する所定の製造情報を記憶し、記憶内容を上記識別情報により抽出可能なデータベースと、非接触で情報の記録および読取りが可能なＩＣタグとを用いる車輪用軸受の品質管理方法であって、
車輪用軸受にＩＣタグを、この車輪用軸受を構成する複数の要素品のいずれかに対して取付ける過程と、
上記ＩＣタグに、上記データベースに従い出荷時、または客先納入時までに、その車輪用軸受についての識別情報を記録し、かつその車輪用軸受についての製造工程における情報を記録する過程と、
出荷後の任意時に、上記ＩＣタグの記録情報を読み取ってその読み取り情報から、または読み取り情報を上記データベースと照合して得られた情報から、前記製造工程における情報の確認を行う情報読取り利用過程とを含む。
【００１８】
この発明における第３の車輪用軸受の品質管理方法は、車輪用軸受につき、所定の製造情報を記憶し、その記憶内容を抽出可能なデータベースと、非接触で情報の記録および読取りが可能なＩＣタグとを用いた車輪用軸受の品質管理方法であって、
車輪用軸受にＩＣタグを、この車輪用軸受を構成する複数の要素品のいずれかに対して取付ける過程と、
上記車輪用軸受に取付けられたＩＣタグに、上記データベースに従いその車輪用軸受についての所定の出荷情報を書き込む過程と、
出荷後の任意時に、上記ＩＣタグの記録情報を読み取ってその読み取り情報から、または読み取り情報を上記データベースと照合して得られた情報から、車輪用軸受についての情報を確認する過程とを含む。
【００１９】
上記第１の車輪用軸受の品質管理方法は、より具体的には、車輪用軸受にＩＣタグを取付け、このＩＣタグの記録情報だけから品質管理に関するトレーサビリティを可能にした方法であって、次の過程を含む方法としても良い。
この品質管理方法は、車輪用軸受につき、非接触で情報の記録および読取りが可能なＩＣタグを用い、車輪用軸受に関する材料購入から、鍛造および旋削のうちの少なくとも一方の工程、熱処理工程、研削工程等の各製造工程、並びに検査に至る所定の製造情報を記録して車輪用軸受を管理する品質管理方法であって、
車輪用軸受の製造時または製造完了時にＩＣタグを、この車輪用軸受を構成する複数の要素品のいずれかに取付ける過程と、
この車輪用軸受に取付けられたＩＣタグに、出荷時または客先納入時までに、その車輪用軸受についての前記各製造工程のうちの少なくとも一つの工程における加工条件情報および材料情報の少なくとも一方を記録する過程と、
上記出荷後の任意時に、上記ＩＣタグの記録情報を読み取ってその読み取り情報から、上記加工条件情報および材料情報の少なくとも一方の確認を行う情報読取り利用過程とを含む。
【００２０】
この方法によると、上記出荷後の任意時の情報読取り利用過程で、鍛造・旋削工程、熱処理工程、研削工程等のいずれかの加工条件情報または材料情報を確認することができる。加工条件情報等まで確認できるため、厳しい品質，精度が求められる車輪用軸受においても、不具合が生じた場合の原因解明等を容易に行うことができる。この方法の場合、別のデータベースを用いることなく、ＩＣタグのみで情報を管理することができるため、加工条件情報等を確認する施設において、データベースへの通信設備やアクセス権限等の有無にかかわらずに加工条件情報等の読み取りが行える。
【００２１】
上記第２の車輪用軸受の品質管理方法は、より具体的には、車輪用軸受に取付けられたＩＣタグとデータベースとを用いて品質管理に関するトレーサビリティを可能にした方法であって、次の過程を含む。
この品質この管理方法は、車輪用軸受につき、識別情報に関連付けてその車輪用軸受に関する材料購入から、鍛造および旋削のうちの少なくとも一方の工程、熱処理工程、研削工程等の各製造工程、および検査に至る所定の製造情報を記憶し、記憶内容を上記識別情報により抽出可能なデータベースと、非接触で情報の記録および読取りが可能なＩＣタグとを用いて車輪用軸受を管理する品質管理方法であって、
車輪用軸受の製造時または製造完了時にＩＣタグを、この車輪用軸受を構成する複数の要素品のいずれかに取付ける過程と、
上記車輪用軸受に取付けられたＩＣタグに、上記データベースに従い出荷時、または客先納入時までに、その車輪用軸受についての識別情報を記録し、かつその車輪用軸受についての前記各製造工程のうちの少なくとも一つの工程における加工条件情報および材料情報の少なくとも一方を記録する過程と、
上記出荷後の任意時に、上記ＩＣタグの記録情報を読み取ってその読み取り情報から、または読み取り情報を上記データベースと照合して得られた情報から、購入材料の確認、製造工程の確認、その加工条件情報および材料情報の少なくとも一方の確認、および検査成績の確認のいずれかを行う情報読取り利用過程とを含む。
【００２２】
この管理方法においても、出荷後の任意時の情報読取り利用過程で、鍛造工程、熱処理工程、研削工程等のいずれかの加工条件情報または材料情報を確認することができる。そのため、転動体を有し複数の要素品からなる車輪用軸受のように厳しい品質，精度が求められる車輪用軸受においても、不具合が生じた場合の原因解明等を容易に行うことができる。また、車輪用軸受に取付けられたＩＣタグには、識別情報を記録し、データベースに上記識別情報と対応して各種の情報を記録するため、限りあるＩＣタグの記憶容量に頼らずに、多量の情報をデータベースから引き出すことができる。またＩＣタグの残りの記憶容量を、出荷後や客先納入後の各種の履歴管理等に利用することができる。
【００２３】
上記第３の車輪用軸受の品質管理方法は、車輪用軸受に取付けられたＩＣタグとデ
ータベースとを用いて品質管理に関するトレーサビリティを可能にした方法であって、次の過程を含む。
この品質管理方法は、車輪用軸受につき、識別情報に関連付けてその車輪用軸受に関する材料購入から、鍛造および旋削のうちの少なくとも一方の工程、熱処理工程、研削工程等の各製造工程、並びに検査に至る所定の製造情報を記憶し、記憶内容を上記識別情報により抽出可能なデータベースと、非接触で情報の記録および読取りが可能なＩＣタグとを用いて車輪用軸受を管理する品質管理方法であって、
車輪用軸受の製造時または製造完了時にＩＣタグを、この車輪用軸受を構成する複数の要素品のいずれかに取付ける過程と、
上記車輪用軸受に取付けられたＩＣタグに、上記データベースに従い出荷時、または客先納入時までに、その車輪用軸受についての識別情報を書き込み、かつその車輪用軸受についての製造年月日、製造場所、封入グリース銘柄、要素品間隙間、品質保証期間、取扱いに関する注意事項のうち、少なくとも一つの情報を記録する過程と、
上記出荷後の任意時に、上記ＩＣタグの記録情報を読み取ってその読み取り情報から、または読み取り情報を上記データベースと照合して得られた情報から、購入材料の確認、製造工程の確認、その加工条件および材料情報の少なくとも一方の確認、および検査成績の確認のいずれかを行う情報読取り利用過程とを含む。
【００２４】
この方法の場合、上記出荷後の任意時における情報読取り利用過程で、ＩＣタグの記録情報を読み取ってその読み取り情報から、または読み取り情報をキーとして上記データベースと照合してその照合により得られた情報から、購入材料の確認、製造工程の確認、その加工条件の確認、および検査成績の確認のいずれかを行うことができる。また、ＩＣタグに記録された製造年月日、製造場所、封入グリース銘柄、要素品間隙間、品質保証期間、取扱いに関する注意事項のいずれかが確認できる。これら製造年月日、製造場所、封入グリース銘柄、要素品間隙間、品質保証期間、取扱いに関する注意事項等は、各種の場面において即座に知りたいことが多く、データベースと照合することなく、ＩＣタグから直接に読み取れることが、設備面や手間の面で便利である。グリースには、高温用や低温用等、用途に応じた各種のものがあり、外見からでは分かり難いため、ＩＣタグから読み採れると便利である。また、グリースは、経時的に品質が劣化するため、製造年月日と共に封入グリース銘柄が分かると、客先納入時等に、そのまま使用できるか、グリース交換が必要であるか等の確認が容易に行え、誤って古いグリースの封入部品を客先へ納める懸念が解消できる。上記要素品間隙間は、転がり軸受におけるラジアル隙間等でなる。
【００２５】
この発明において、上記第１ないし第３のいずれの車輪用軸受の品質管理方法においても、次の過程を含めても良い。すなわち、上記車輪用軸受の上記要素品の材料購入から鍛造および旋削のうちの少なくとも一方の工程、熱処理工程、および研削工程に至る所定の製造情報を、要素品のロット番号別に準備された製造過程用のＩＣタグに各工程毎に記録する過程と、この記録した情報を読み取ってその読み取り情報の一部または全体を上記車輪用軸受に取付けられたＩＣタグに記録する過程とを含み、上記製造過程用のＩＣタグに記録する製造情報として、前記各製造工程のうちの少なくとも一つの工程における加工条件情報および材料情報の少なくとも一方を含む方法とする。
【００２６】
このように、要素品毎の製造過程で、その製造過程用のＩＣタグに、材料購入から鍛造工程、熱処理工程、および研削工程に至る製造情報を、要素品のロット番号別に準備された製造過程用のＩＣタグに各工程毎に記録するようにすると、手書き伝票に記録する場合に比べて詳細な情報の記録が行え、また例えば端末からデータベースに入力する場合と異なり、情報を入力するべき箇所がＩＣタグであるために視覚的に認識できて、入力作業が明確となり、誤りが生じにくい。また、要素品の材料購入から研削工程の各工程にわたる種々雑多な全ての情報をデータベースに記録するものと異なり、これらの記録情報をＩＣタグで持っておくため、データベースの負担が軽く、管理が容易になる。このため、容易に、より詳細な情報の管理することができる。上記要素品のロット番号別に準備されるＩＣタグは、工程毎にロット区分が変わる場合は、その変わる各ロット毎に準備する。
【００２７】
要素品の製造時における製造情報の記録は、データベースに行うようにしても良い。すなわち、この発明において、上記第１ないし第３のいずれの車輪用軸受の品質管理方法においても、上記車輪用軸受の上記要素品の材料購入から鍛造および旋削のうちの少なくとも一方の工程、熱処理工程、研削工程、および検査に至る所定の製造情報を、製造時管理用のデータベースに要素品のロット番号または要素品個別の識別番号に関連付けて記録する過程と、この記録した情報を、上記車輪用軸受に取付けられたＩＣタグに記録する過程とを含むようにしても良い。
【００２８】
要素品の製造過程における製造情報の管理にロット番号別に準備された製造過程用のＩＣタグを用いる管理方法としては、次の第４，第５の各方法が採用できる。
この発明における第４の車輪用軸受の品質管理方法は、個別に検査される車輪用軸受の品質管理方法である。この車輪用軸受の品質管理方法は、材料購入から鍛造および旋削のうちの少なくとも一方の工程である鍛造・旋削工程、熱処理工程、および研削工程を経て製造される要素品を複数種類含んで組み立てられる車輪用軸受の品質管理方法であって、上記各要素品について、次の各過程(1) 〜(4) を含み、各要素品を組み立てた車輪用軸受について、後述の過程を採る。
【００２９】
(1) ．各要素品の材料購入時に、材料ロット別に準備されたＩＣタグに、対応する材料ロットについての材料ロット番号および購入材料に関する情報を記録する過程。
(2) ．上記鍛造・旋削工程で、上記材料ロット別のＩＣタグまたはこの材料ロット別のＩＣタグの記録情報を引き継いだＩＣタグを鍛造・旋削ロット別に準備し、これらのＩＣタグに、対応する鍛造・旋削ロットについての鍛造・旋削ロット番号および鍛造・旋削工程で得られる情報を記録する過程。
(3) ．上記熱処理工程で、鍛造・旋削ロット別のＩＣタグまたはこの鍛造・旋削ロット別のＩＣタグの記録情報を引き継いだＩＣタグを熱処理ロット別に準備し、これらのＩＣタグに、対応する熱処理ロットについての熱処理ロット番号および熱処理工程で得られる情報を記録する過程。
【００３０】
(4) ．上記研削工程の後の検査工程で、熱処理ロット別のＩＣタグまたはこの熱処理ロット別のＩＣタグの記録情報を引き継いだＩＣタグを、要素品毎または検査の単位となる同種類の要素品の組毎に準備し、これらＩＣタグに、対応する研削ロット番号および検査工程で得られる情報を記録する過程。
上記各要素品を組み立てた各車輪用軸受には、組立前から組立後に至る間にＩＣタグを取付け、この車輪用軸受に取付けられたＩＣタグに、個別の車輪用軸受特有の製造番号、および上記車輪用軸受に用いられた各要素品の上記検査工程後のＩＣタグの記録情報のうち、少なくとも製造番号を記録する。データベースには上記製造番号と対応して、上記車輪用軸受に用いられた各要素品の上記検査工程後のＩＣタグの記録情報、および車輪用軸受の完成後の検査情報を記録する。
【００３１】
なお、上記材料購入、鍛造・旋削工程、熱処理工程、および研削工程の各工程は、材料購入から要素品の完成までを、大別した各区分のことであり、上記各工程が複数の工程からなる場合や、さらに工程名称に該当しない工程を含むものであっても良い。例えば、鍛造後に旋削し、熱処理を行うような場合、旋削工程は上記鍛造工程に含むものとする。また、上記(2) 〜(4) の鍛造・旋削工程、熱処理工程、および研削工程の各工程で得られる情報を記録する過程では、これら鍛造・工程、熱処理工程、および研削工程の加工条件情報を含めて記録しても良い。また、上記(2) 〜(4) の鍛造・旋削工程、熱処理工程、および研削工程の各工程で得られる情報を記録する過程では、これら鍛造・旋削工程、熱処理工程
、および研削工程の加工条件情報を含めて記録しても良い。
【００３２】
この品質管理方法によると、各要素品の材料購入から車輪用軸受の完成後の検査内容までの履歴情報が、データベースに記憶され、車輪用軸受に取付けられたＩＣタグには製造番号が記録されているため、製造番号をデータベースと照合することで、上記履歴情報を車輪用軸受と１対１の関係管理することができる。各要素品の工程毎に発生する情報は、工程毎にその工程のロット別に準備したＩＣタグにロット番号と共に記録するため、詳細な履歴情報を管理することができる。
したがって、将来の改善等の対処が容易となり、寿命診断も容易となる。上記工程毎の情報は、その工程のロット毎に準備したＩＣタグに記録するため、手書き伝票に記録する場合に比べて詳細な情報の記録が行え、また例えば端末からコンピュータに入力する場合と異なり、情報を入力するべき箇所がＩＣタグであるために視覚的に認識できて、入力作業が明確となり、誤りが生じにくい。また、要素品の材料購入から研削工程の各工程にわたる種々雑多な全ての情報をコンピュータに記録するものと異なり、これらの記録情報をＩＣタグで持っておくため、コンピュータの負担が軽く、管理が容易になる。このため、容易に、より詳細な情報の管理することができる。また、車輪用軸受の製造番号は、車輪用軸受に取付けらたＩＣタグに記録するので、このＩＣタグを、製造後の各種の用途、例えば出荷管理、流通管理、顧客管理、メンテナンス管理等に用いることができる。
【００３３】
この発明における第５の車輪用軸受の品質管理方法は、ロット別に検査される車輪用軸受の品質管理方法である。この車輪用軸受の品質管理方法は、材料購入から鍛造および旋削の少なくとも一方の工程である鍛造・旋削工程、熱処理工程、および研削工程を経て製造される要素品を複数種類含んで組み立てられ、上記各要素品について、次の各過程(1) 〜(3) ，(4) ′を含み、各要素品を組み立てた車輪用軸受について、後述の過程を
採る。上記(1) 〜(3) の過程は、上記第４の車輪用軸受の品質管理方法と同じであるが、再度示す。
【００３４】
(1) ．これら各要素品の材料購入時に、材料ロット別に準備されたＩＣタグに、対応する材料ロットについての材料ロット番号および購入材料に関する情報を記録する過程。
(2) ．上記鍛造・旋削工程で、上記材料ロット別のＩＣタグまたはこの材料ロット別のＩＣタグの記録情報を引き継いだＩＣタグを鍛造・旋削ロット別に準備し、これらのＩＣタグに、対応する鍛造・旋削ロットについての鍛造・旋削ロット番号および鍛造・旋削工程で得られる情報を記録する過程。
(3) ．上記熱処理工程で、鍛造・旋削ロット別のＩＣタグまたはこの鍛造ロット別のＩＣタグの記録情報を引き継いだＩＣタグを熱処理ロット別に準備し、これらＩＣタグに、対応する熱処理ロットについての熱処理ロット番号および熱処理工程で得られる情報を記録する過程。
【００３５】
(4) ′．上記研削工程の後の検査工程で、熱処理ロット別のＩＣタグまたはこの熱処理ロット別のＩＣタグの記録情報を引き継いだＩＣタグを研削ロット別に準備し、これらＩＣタグに、対応する研削ロットについての研削ロット番号および検査工程で得られる情報を記録する過程。
上記各要素品を組み立てた各車輪用軸受に、組立前から組立後に至る間にＩＣタグを取付け、この車輪用軸受に取付けられたＩＣタグに、製造ロット番号、および上記車輪用軸受に用いられた各要素品の上記検査工程後のＩＣタグの記録情報のうち、少なくとも製造ロット番号を記録し、データベースに上記製造ロット番号と対応して、上記車輪用軸受に用いられた各要素品の上記検査工程後のＩＣタグの記録情報、および車輪用軸受の完成後の検査情報を記録する。
【００３６】
なお、上記(2) ′〜(4) ′の鍛造・旋削工程、熱処理工程、および研削工程の各工程で得られる情報を記録する過程では、これら鍛造・旋削工程、熱処理工程、および研削工程の加工条件情報を含めて記録しても良い。
【００３７】
この品質管理方法の場合、車輪用軸受の製造ロット別の管理となり、１対１の管理とはならないが、その他の事項については、上記第１の車輪用軸受の品質管理方法で説明した各作用，効果が得られる。データベースに対する照合は、車輪用軸受に取付けられたＩＣタグから得られるロット番号で行う。
【００３８】
この発明において、上記材料ロット別に準備されるＩＣタグ、鍛造ロット別に準備されるＩＣタグ、および熱処理工程別に準備されるＩＣタグは、同じ材料ロットの材料を複数入れた容器類、同じ鍛造ロットの要素品を複数入れた容器類、および同じ熱処理ロットの要素品を入れた容器類にそれぞれ取付けても良い。
ＩＣタグの容器類への取付は、直接に行っても良く、また容器に取付けられて視覚的に認識させるためのタグに取付けても良い。ＩＣタグの容器類への取付は着脱自在な取付であっても良い。
ＩＣタグを容器類に取付けておくことで、ロット毎に準備されるＩＣタグを、常に要素品と共に移動させることができ、ＩＣタグの取扱が容易である。また、要素品の搬送経路でＩＣタグへの情報の記録を行うことができる。
【００３９】
この発明において、上記車輪用軸受が、材料購入から鍛造および旋削のうちの少なくとも一方の工程、熱処理工程、および研削工程を経て製造される要素品とは別の要素品を含むものであって、この別要素品についての情報は、車輪用軸受の組み立て後に上記データベースに製造番号またはロット番号に対応せて記録するようにしてもよい。これにより、別要素品についての情報も、車輪用軸受の完成後に知ることができる。
【００４０】
車輪用軸受の場合、上記材料購入から鍛造および旋削のうちの少なくとも一方の工程、熱処理工程、および研削工程を経て製造される要素品は、外輪、内輪、および転動体であるか、または外輪、内輪、ハブ輪、および転動体である。これらの工程を経ない別要素品としては、保持器、シール等がある。センサ付きとする場合は、センサおよびセンサ関連部品も別要素品となる。
【００４１】
上記車輪用軸受は組み立て時にグリースが封入されるものであっても良く、その場合、上記車輪用軸受に取付けられたＩＣタグに、その車輪用軸受の組み立て年月日を記録することが好ましい。
グリースは、経時的に劣化するため、組み立て年月日が分かれば管理が容易になる。
【００４２】
この発明において、上記車輪用軸受に取付けられたＩＣタグに、その車輪用軸受の出荷から客先納入までの所在等の情報を記録しても良い。これにより、出荷管理、流通管理、顧客管理、メンテナンス管理等が容易になる。
【発明の効果】
【００４３】
この発明の車輪用軸受の品質管理方法は、車輪用軸受につき、非接触で情報の記録および読取りが可能なＩＣタグを用い、車輪用軸受に関する所定情報を記録して管理する車輪用軸受の品質管理方法であって、車輪用軸受にＩＣタグを取付ける過程と、この車輪用軸受に取付けられたＩＣタグに、その車輪用軸受についての情報を記録する過程と、出荷後の任意時に、上記ＩＣタグの記録情報を読み取ってその読み取り情報から、所定情報の確認を行う利用過程とを含む方法であるため、軸受を分解することなく簡単にかつ即座に製造履歴が分かり、定期点検等に対して迅速かつ適切に対処することができる。
【発明を実施するための最良の形態】
【００４４】
この発明の管理対象となる車輪用軸受について説明する。図１は車輪用軸受の一例を示す。この車輪用軸受１は、第３世代型の内輪回転タイプで、かつ駆動輪の支持用とした例である。なおこの明細書において、車両に取付けた状態で車両の車幅方向の外側寄りとなる側をアウトボード側と言い、車幅方向の中央寄りとなる側をインボード側と言う。図１では、左側がアウトボード側、右側がインボード側である。
【００４５】
この車輪用軸受１は、内周に複列の転走面３５を有する外輪３１と、上記転走面３５に対向する転走面３６を有する内方部材３２と、これら外内の部材３１，３２の対向する転走面間３５，３６に介在した複列の転動体３３とを有する。外輪３１と内方部材３２間の軸受空間の両端は、シール３７，３８により密封されている。この車輪用軸受１は複列のアンギュラ玉軸受型とされていて、上記転走面３５，３６は断面円弧状であり、各軌道面３５，３６は接触角が背面合わせとなるように形成されている。転動体３３はボールからなり、各列毎に保持器３４で保持器されている。
【００４６】
外輪３１は、固定側の部材となるものであって、一体の部材からなり、懸架装置のナックル（図示せず）等に固定される。外輪３１はナックルへ固定するための車体取付用フランジ３１ａを外周に有している。外輪３１は鍛造品である。
内方部材３２は、ハブ輪３２Ａとこのハブ輪３２Ａのインボード側端の外周に嵌合した内輪３２Ｂからなり、これらハブ輪３２Ａおよび内輪３２Ｂに前記各列の転走面３６が形成されている。ハブ輪３２Ａおよび内輪３２Ｂは、いずれも鍛造品である。
【００４７】
ハブ輪３２Ａは、外輪３１よりもアウトボード側部分の外周に車輪取付用のフランジ３９を有し、このフランジ３９の円周方向複数箇所にボルト圧入孔４０が設けられている。各ボルト圧入孔４０には、車輪取付ボルト４１が圧入される。
ハブ輪３２Ａのフランジ３９よりもアウトボード側には、ブレーキパイロット４２およびホイールパイロット４３が設けられている。また、ハブ輪３２Ａは内径孔４４を有しており、この内径孔４４に等速自在継手の外輪のステム部（図示せず）が挿入されてスプライン嵌合する。上記ステム部の先端の雄ねじ部に螺合したナットの締め付けによって、内方部材３２と等速自在継手外輪とが一体に回転可能に結合される。
【００４８】
この車輪用軸受１における内方部材３２に、非接触交信型のＩＣタグ９が取付けられている。ＩＣタグ９の取付位置は、ハブ輪３２Ａのホイールパイロット４３よりも内径側のアウトボード側端面３２Ａａとされている。ただし、この端面３２Ａａが等速自在継手外輪との結合用のナット（図示せず）の座面となる場合は、その座面となる部分を除く範囲に取付ける。
ＩＣタグ９は、この例では、上記端面３２Ａａの表面に貼り付けによって取付けられている。なお、ＩＣタグ９は、金属表面に取付可能のものを用いるか、または絶縁材または誘電体等の電波障害防止材（図示せず）を介在させた上に、ＩＣタグ９を取付けるようにしている。
【００４９】
図１１，図１２と共に、上記ＩＣタグ９につき、具体的に説明する。ＩＣタグ９に対する情報の読み書きは、タグ交信器２０により行われる。ＩＣタグ１が読み書きの両方が可能なタイプのものである場合は、タグ交信器２０として、ＩＣタグリーダ／ライタが用いられ、ＩＣタグ９が読み出し専用のものである場合は、タグ交信器２０として書き込み機能のないタグリーダが用いられる。タグ交信器２０は、ＩＣタグ９に対向させるアンテナ２１を有している。ＩＣタグ９は、非接触で情報の記録および読取りが可能なもの、または上書き不能なものであり、ＩＣチップ（集積回路のチップ）２５と、アンテナ２６とで構成される。これらＩＣチップ２５とアンテナ２６は、例えば樹脂（図示せず）で一体に包囲される。ＩＣタグには種々の形式，形状，大きさのものがあり、短冊状や板状の物の他、例えば１mm未満の大きさの角状や球状の物などがある。また、対象物に直接に印刷等で形成されるＩＣタグもある。記憶容量も種々異なるものがあるが、用途や取付対象となる梱包容器の大きさ，種類等に応じて適宜選択すればよい。
【００５０】
ＩＣタグ９としては、例えばＲＦＩＤ（無線周波数認識：Radio Frequency Identification）技術を応用したＲＦＩＤタグが利用できる。ＲＦＩＤ形式のＩＣタグは、伝送方式として静電結合、電磁結合、電磁誘導、マイクロ波、光などを用いる形式のものがあり、このうちいずれの形式のものを用いても良い。例えば電磁誘導形式のもの、またはマイクロ波のものが用いられる。
【００５１】
図１２は、ＩＣタグ９の具体的回路例を示す。このＩＣタグ１のＩＣチップ２５は、中央処理装置（ＣＰＵ）２７、メモリ２８、送受信回路２９、および電源回路３０を有しており、電源回路３０はアンテナ２６から電源を得るものとされている。メモリ２８は、情報の記憶に電源が不要なものが用いられる。
【００５２】
この構成の車輪用軸受１によると、この軸受装置を構成する要素品にＩＣタグ９を取付けたので、車輪用軸受１のロット番号や製造番号等の識別情報を記録したり、さらにＩＣタグ９に製造履歴情報を記録することも可能になる。製造履歴情報としては、製造場所、製造年月日、加工条件情報、加工後の寸法、その他各種の検査結果等がある。予圧に関する情報をＩＣタグ９に記録しても良い。ＩＣタグには非接触交信型のものを用いるため、適宜のＩＣタグ交信器２０を用いることにより、車両に車輪用軸受１を取付けたままで、例えば図１３に示すように、ＩＣタグ９の記録情報を読み出すことができる。そのため、定期点検時やその他の必要時に、車輪用軸受について知りたい情報を容易に知ることができる。タグ交信器２０に、交信を行うタグリーダ部２０ａの他に、ＩＣタグ９の読み取り情報の結果を処理する情報処理手段２０を設けておけば、製造番号等から、所定の点検対象品であるか否かの判別もその場で行える。また、ＩＣタグ９に大容量のものを用いれば、車輪用軸受１を構成する各要素品の全ての製造履歴をＩＣタグ９に記憶させることもできる。その場合、データベース等の照合することなく、車輪用軸受１についての製造履歴を容易に読み出すことができる。
【００５３】
この車輪用軸受１の例では、ＩＣタグ９の取付位置が、鍛造品であるハブ輪３２Ａのホイールパイロット４３よりも内径側のアウトボード側端面３２Ａａとされている。この面３２Ａａは後に旋削加工を施さない面であるため、ハブ輪３２Ａの鍛造直後にＩＣタグ９を取付けることができる。ただし、鍛造直後にショットブラストを施す場合は、その後にＩＣタグ９を取付ける。これより、鍛造後の各工程、例えば一次旋削、高周波焼入れ、２次旋削、研磨等までの全工程の履歴を、その工程の都度記録して残すことができる。熱処理は、転走面３６の表面硬化等のために行われるが、高周波焼入が採用されるため、鍛造直後にＩＣタグ９を取付けても、ＩＣタグ９に熱処理の影響があまり伝わらないようにできる。
また、このアウトボード側端面３２Ａａは、車輪用軸受１を車両に取付けた状態において、車両の外側を向く面であるため、車輪用軸受１を車両に取付けたままで、ＩＣタグリーダ９等を近づけることで、容易に記憶情報の読み出しが行える。
【００５４】
図２は、車輪用軸受１の他の例を示す。図１の例では、ＩＣタグ９をハブ輪３２Ａの表面に直接に貼り付けるようにしたが、図２の例では、ハブ輪３２Ａにタグ取付用凹部４５を設け、このタグ取付用凹部４５内にＩＣタグ９を設けている。この場合に、電波吸収対策として、タグ取付用凹部４５の内面を覆う絶縁部材４６を設け、この絶縁部材４６に埋め込み状態に前記ＩＣタグ９を取付けることが好ましい。絶縁部材４６は、金属とＩＣタグ９とが電気的に干渉を生じないギャップが得られれば良く、例えば樹脂製の部材である。この場合、樹脂モールドによりＩＣタグ９をタグ取付用凹部４５内に固定しても良い。また、ＩＣタグ９を絶縁部材４６で被覆した後、その被覆付きのＩＣタグ９をタグ取付用凹部４５内に取付けても良い。
【００５５】
このようにタグ取付用凹部４５の内面を覆う絶縁部材４６を設けることで、金属表面における電波の障害等の問題を生じることなく、ＩＣタグ９の読み出しが可能になる。また埋め込み状態に取付けると、他の器物との干渉の問題や脱落の問題が生じ難い。この例におけるその他の構成は、図１に示す第１の例と同様である。
【００５６】
なお、図２（Ｂ）のようにタグ取付用凹部４５の内面を覆う絶縁部材４６を設け、この絶縁部材４６に埋め込み状態に前記ＩＣタグ９を取付ける構成、あるいはＩＣタグ９を絶縁部材４６で覆ってタグ取付用凹部４５内に埋め込む構成は、ハブ輪３２Ａに取付ける場合に限らず、外輪３２Ａや、シール３７，３８の芯金など、金属部品にＩＣタグ９を取付ける場合に一般に適用することができる。
【００５７】
ハブ輪３２Ａにおいて、ＩＣタグ９を取付ける箇所は、この他に、例えば図３に示すようにフランジ３９のインボード側の側面であっても良い。この面は、車輪用軸受１の車両への取付後も周辺に空間が得られ、ＩＣタグ９との交信が行い易い。
【００５８】
図４に示すように、ＩＣタグ９は外輪３１に取付けても良い。取付位置は、車体取付用フランジ３１ａよりもアウトボード側の外周面が好ましい。この外周面部分は、車輪用軸受１の車両への取付後も周辺に空間が得られ、ＩＣタグ９との交信が行い易い。外輪３１は一般に鍛造品とされるため、この場合も、鍛造直後にＩＣタグ９を取付けることで、鍛造後の各製造工程の情報を記録することができる。
【００５９】
図４の例では、ＩＣタグ９を外輪３１とハブ輪３２Ａの両方に取付けており、その場合、外輪３１およびハブ輪３２ＡのＩＣタグ９に、これら外輪３１およびハブ輪３２Ａの鍛造後の情報を記録しておくことができる。
なお、内輪３２Ｂも鍛造品であり、これにＩＣタグ９を取付けても良い。
【００６０】
図５の例は、ハブ輪３２Ａのフランジ３９のボルト圧入孔４０に圧入された車輪取付ボルト４１の端面にＩＣタグ９を取付けた例を示す。同図では、車輪取付ボルト４１の両端にＩＣタグ９を図示しているが、いずれか片方に取付ける。すなわち、頭部と軸部先端のいずれか一方にＩＣタグ９を取付ける。この場合も、ＩＣタグ９は、表面に設けても埋め込み状態に設けても良い。車輪取付ボルト４１の端面も、車輪用軸受１の車両への取付後も周辺に空間が得られ、ＩＣタグ９との交信が行い易い。
【００６１】
ＩＣタグ９にはコンパクトな構成のものがあり、このようなＩＣタグ９を用いることにより、前記ボルト端面や、図１に示すハブ輪３２Ａのホイールパイロット４３よりも内径側部分など、刻印やレーザマーキングが困難な場所にもＩＣタグ９を取付けることができる。
【００６２】
ＩＣタグ９の取付箇所は、上記の他に、図６のように保持器３７としても良い。保持器３７が合成樹脂製のものであると、金属表面に直接に取付けられないＩＣタグ９であっても、支障なく取付けることができる。
【００６３】
図７ないし図１０（Ａ）は、車輪用軸受１において、センサ関連部品にＩＣタグ９を取り付けた各種の例を示す。
この例は回転センサ４８を設けた例であるが、回転以外の検出対象、例えば温度や荷重等を検出するセンサ（図示せず）を設ける場合も同様である。
【００６４】
図７の例は、図１の例において、内方部材３２にエンコーダ４７を取付け、外輪３１にセンサキャップ４９を介して回転センサ４８を取付けたものである。エンコーダ４７は、芯金４７ａと多極磁石４７ｂとでなる磁気エンコーダである。回転センサ４８には、ホール素子や磁気抵抗素子等を有するものが用いられる。回転センサ４８は、アンチロックブレーキシステムの制御等に使用されるものでる。なお、この例の場合、内輪３２Ｂは、ハブ輪３２Ａの加締部３２Ａｃで固定されているが、車輪用軸受１としてのその他の構成は、図１の例と同様である。
【００６５】
このように回転センサ４８等のセンサ類を取付けた車輪用軸受１の場合は、センサ関連部品となる前記エンコーダ４７や、前記回転センサ４８、これらの取付用部品等にＩＣタグ９を取付けても良い。
例えば、図９の例のように、センサキャップ４９にＩＣタグ９を取付けても、また図８の例のように回転センサ４８にＩＣタグ９を取付けても良い。この他に、センサ４８を図９の様なセンサリング５０を介して外輪３１に取付ける場合に、センサリング５０にＩＣタグを取付けても良い。
【００６６】
回転センサ４８等のセンサは、一般的に出荷時に全数が検査される。そのため、その検査時に出荷時の初期性能等の情報をＩＣタグ９に書き込むことができ、書き込み工程を別に設けることが不要で、効率の良い書き込みが行える。従来から型番や製品ロット等の製品情報は製品自体に刻印等で表示されるか、または梱包箱に記載されるが、製品自体や梱包箱に記載できる内容は最少限に限られる。上記のようにセンサ関連部品にＩＣタグ９を取付けることで、出荷時の多量の情報を記録することができ、書き込んだ情報は、調査等の必要なときに、いつでも読み出すことができる。
【００６７】
図１０（Ａ），（Ｂ）は、シール３８にＩＣタグ９を取付けた各例を示す。これらの例は、いずれもシール３８が、固定側シール３８ａとスリンガ３８ｂとでなる組み合わせ型のものとされている。固定側シール３８ａは図１の例の外輪３１に取付けられ、回転側シール３８ｂは内方部材３２に取付けられる。また、固定側シール３８ａは、芯金３８ａａとゴム等の弾性部材３８ａｂとでなる。回転側シール３８ｂは、エンコーダ４７の芯金を兼ねており、多極磁石４７ｂが設けられている。
【００６８】
図１０（Ａ）の例では、ＩＣタグ９は、固定側シール３８ａの軸受外向きの端面に取付けるか、または回転側シール３８ｂにおける軸受外側を向く面に取付けられている。同図では各場所に取付けた例を同じ図に示しており、２か所にＩＣタグ９を図示しているが、これら２か所のＩＣタグ９は選択的に設けられる。
図１０（Ｂ）の例は、固定側シール３８ａの弾性部材３８ａｂに、外輪３１の端面へ延びる部分３８ａｃを一体に設け、この部分３８ａｃにＩＣタグ９を埋め込み状態に設けている。
これら図１０（Ａ），（Ｂ）の例は、いずれもＩＣタグ９が軸受外向きとなる面に取付けられているため、交信が行い易い。図１０（Ｂ）の例では、弾性部材３８ａｂ内にＩＣタグ９を埋め込み状態に設けているため、金属に直接に設置できないＩＣタグ９でも使用が可能であり、また埋め込み状態のためにＩＣタグ９が保護される。
【００６９】
なお、前記各例は、いずれも第３世代型の車輪用軸受１につき説明したが、この発明の車輪用軸受の品質管理方法は第１〜第４世代型のいずれの世代型の車輪用軸受においても適用することができる。
【００７０】
また、図１４に示すような外輪回転タイプの車輪用軸受１Ａにも適用できる。同図の車輪用軸受１Ａは、外輪３１Ａと一対の内輪３２Ｃ，３２Ｃとを有し、これら内外輪３２Ｃ，１Ａの複列の転走面３６Ａ，３５Ａの間に転動体３３Ａが介在している。各列の転動体３３Ａは、保持器３４Ａにより保持されている。また、内外輪３２Ｃ，１Ａ間の軸受空間の両端はシール３７Ａ，３８Ａにより密封されている。
【００７１】
次にこの発明の第１の実施形態に係る車輪用軸受の品質管理方法を図１５と共に説明する。図１５は、車輪用軸受１の製造から廃棄までの流れの各段階と、その各段階でのＩＣタグ９を利用した品質管理過程を示す。この車輪用軸受の品質管理方法は、車輪用軸受１にＩＣタグ９を取付け、このＩＣタグ９に車輪用軸受１に関する材料購入から、鍛造工程、熱処理工程、研削工程および検査に至る所定の製造情報を記録し、ＩＣタグ９から読み取った記録情報から、車輪用軸受１の品質管理に関するトレーサビリティを可能にする方法である。上記鍛造過程は、鍛造の後に旋削を含む過程であっても良く、鍛造せずに素材から旋削を行う過程であっても良い。
この車輪用軸受の品質管理方法は、次のＩＣタグ取付過程Ｒ１、製造情報の記録過程Ｒ２、および記録情報の読取り利用過程Ｒ３を含む。
【００７２】
（ＩＣタグ取付過程Ｒ１）
この過程では、車輪用軸受１の製造時または製造完了時にＩＣタグ９を車輪用軸受１に取付ける。この場合に、車輪用軸受１を構成する要素品２の一つにＩＣタグ９を取付けてから、車輪用軸受１を組み立てても良く、また車輪用軸受１の組立が完了してから車輪用軸受１にＩＣタグ９を取付けても良い。上記要素品２は、例えば図１の例の外輪３１，ハブ輪３２Ａ，内輪３２Ｂ，転動体３３等のことであり、これらを特に区別する必要のない場合は、要素品２と総称する。
【００７３】
（製造情報の記録過程Ｒ２）
この過程では、この車輪用軸受１に取付けられたＩＣタグ９に、出荷時または客先納入時までに、その車輪用軸受１についての材料購入から、鍛造工程、熱処理工程、研削工程、および検査に至る所定の製造情報を記録する。この記録する製造情報には、鍛造工程、熱処理工程、研削工程のうちの少なくとも一つの工程における加工条件情報を含ませる。上記車輪用軸受１についての材料購入、鍛造工程、熱処理工程、および研削工程は、車輪用軸受１の各要素品２についての材料購入、鍛造工程、熱処理工程、および研削工程のことである。加工条件情報は、例えば鍛造工程ではプレス圧やサイクルタイム等であり、熱処理工程では熱処理温度、熱処理時間、熱処理方法等であり、研削工程では砥石回転速度や切り込み速度、送り速度等である。上記製造情報として、加工条件の他に、その車輪用軸受についての製造年月日、製造場所、封入グリース銘柄、要素品間隙間、品質保証期間、取扱いに関する注意事項のうち、少なくとも一つの情報を記録することが好ましい。また各種検査結果も記録することが好ましい。各種検査結果には各要素品２毎の検査結果と、完成品としての検査結果とが含まれる。また、これらの製造情報の他に、車輪用軸受１の識別情報を記録することが好ましい。車輪用軸受１の識別情報は、個々の車輪用軸受１に個別の識別情報、例えば製造番号であっても、また車輪用軸受１のロット別の識別情報、例えばロット番号であっても良い。製造情報の記録は、一度に行っても、また何回かに分けて行っても良い。例えば、車輪用軸受１の組立が完了して完成品検査をしたときに、検査結果や検査条件にかかる情報を記録し、後に残りの製造情報を記録しても良く、また上記検査の情報を含めて全ての製造情報を一度に記録しても良い。
【００７４】
（製造過程でＩＣタグを取付け、工程毎に記録する場合の例）
ＩＣタグ９の車輪用軸受１への取付けは、例えば図１６にハブ輪３２Ａの場合の例を示すように、鍛造直後に行うようにしても良い。図１の例で説明したように、鍛造後に機械加工を施さない面であると、ＩＣタグ９を鍛造直後に取付けても良い。鍛造後にショットブラスト等を施す場合は、その処理を後にＩＣタグ９を取付ける。
ハブ輪３２Ａは、その後に、旋削、高周波熱処理、および研削（研磨または超仕上げを含む）の工程を経て製造されるが、鍛造直後にＩＣタグ９を取付けた場合、その後の各工程の製造情報を、工程毎にＩＣタグ９に記録して行くことができる。熱処理は転走面３６の高周波熱処理であるため、取付けられたＩＣタグ９を熱で損傷する問題が回避できる。  図１６は、要素品２がハブ輪３２Ａの場合の例であるが、外輪３１や内輪３２Ｂ等の鍛造品についても、ハブ輪３２Ａと同様に、鍛造直後にＩＣタグ９を取付け、その要素品２についての製造情報を、各工程毎にＩＣタグ９に記録して行くことができる。
【００７５】
このようにハブ輪３２Ａ等の各要素品２に記録した情報は、後に車輪用軸受１のいずれかの要素品２等に取付けられたＩＣタグ９に全て転記しておき、一つのＩＣタグ９で全ての要素品２についての情報が読み取れるようにしても良い。その場合の全情報を記録しておくＩＣタグ９は、車輪用軸受１を自動車に取付けたままで読み取りが行い易い箇所が好ましい。例えば、図１の例のように、ハブ輪３２Ａのホイールパイロット４３よりも内径側の端面３２ＡａのＩＣタグ９としても良く、また図７，図８等と共に説明したセンサ４８やセンサ関連部品に取付けたＩＣタグ９としても良い。
【００７６】
（情報読取り利用過程Ｒ３）
この過程は、出荷後の任意時に、上記ＩＣタグ９の記録情報を読み取ってその読み取り情報から、少なくとも上記加工条件情報の確認を行う過程である。
車輪用軸受１の完成から廃棄までの一般的な流れとしては、図１５のように、車輪用軸受１の組立完成から、完成品検査、出荷、倉庫での保管、営業所での保管、客先納入（顧客自動車メーカーによる購入、自動車への車輪用軸受１の組み込み）、顧客または販売会社における自動車の販売ルート（または自動車のリースのルート）と、自動車の使用者での購入および使用、廃棄、という流れとなる。特注品の場合は、出荷後に直接に客先に納入されることもある。
ＩＣタグ９に記録された情報の読取りおよび利用は、出荷後の任意の段階で、必要に応じて行われ、その読取り情報から必要な情報の確認が行われる。例えば、自動車の所有者での使用の段階で、整備工場や、自動車の所在する現場等で、車輪用軸受１に取付けられているＩＣタグ９から、その車輪用軸受１についての材質や性能等の各種の情報が読み取られ、技術的な解析が行われる。このときに、記録情報に各要素品２の材質や検査結果だけでなく、加工条件情報が含まれていると、原因解明が容易にかつ精度良く行われる。
【００７７】
ＩＣタグ９の情報読み取りに際して、自動車に取付けられている車輪用軸受１は、自動車に取付けたままで、例えば図１３と共に前述したように自動車にタグ交信器２０を近づけることで行える。そのため簡単かつ迅速に、車輪用軸受１についての情報が得られる。  例えば、タグ交信器２０に設けられた情報処理手段２０ｂに、軸受の点検対象範囲の情報を記憶させておき、またタグ交信器２０に付設の情報処理手段に上記点検対象範囲の情報を記憶させておき、ＩＣタグ９の読み取り情報と点検対象範囲の情報とを比較して点検対象品か否かの判別結果を出力させるようにしてもよい。対象範囲の情報は、例えば製造番号の範囲の情報であっても、また製造年や製造場所の範囲の情報であっても良い。図１３の例は、タグ交信器２０は携帯型のものであって、タグリーダ部２０ａと情報処理手段２０ｂと有するものを用いている。タグ交信器２０は、タグリーダ／ライタであっても良い。
【００７８】
図１５において、情報読取り利用過程Ｒ３における付加的な利用として、車輪用軸受１に取付けられたＩＣタグ９におけるメモリの空き容量部分が、出荷管理や、在庫管理、流通管理、メンテナンス管理等に適宜用いられる。
【００７９】
この車輪用軸受の品質管理方法によると、出荷後の任意時の情報読取り利用過程Ｒ３で、鍛造工程、熱処理工程、研削工程等のいずれかの加工条件情報を確認することができるため、転動体３３を有し複数の要素品２からなり、厳しい品質，精度が求められる車輪用軸受１においても、技術的な解明等を容易に行うことができる。また、この方法の場合、別のデータベースを用いることなく、ＩＣタグ９のみで情報を管理することができるため、加工条件情報を確認する施設において、データベースへの通信設備やアクセス権限等の有無にかかわらずに加工条件情報の読み取りが行える。
【００８０】
上記実施形態は、ＩＣタグ９にできるだけの製造情報を記録しておいて、その記録情報により品質管理を行う方法であるが、データベース１０と併用しても良い。
すなわち、データベース１０として、車輪用軸受１の識別情報に関連付けてその車輪用軸受１に関する材料購入から、鍛造工程、熱処理工程、研削工程および検査に至る所定の製造情報を記憶し、記憶内容を上記識別情報により抽出可能なものを準備しておく。このデータベース１０と、車輪用軸受１に取付けられたＩＣタグ９とを用いて品質管理を行う。この場合、上記各過程Ｒ１〜Ｒ３では次の処理を行う。
【００８１】
（ＩＣタグ取付過程Ｒ(1) ）
この過程Ｒ１は、上記実施形態と同じである。
（製造情報の記録過程Ｒ２）
この過程では、車輪用軸受１に取付けられたＩＣタグ９に、上記データベース１０に従い、出荷時、または客先納入時までに、その車輪用軸受１についての製造番号またはロット番号等の識別情報を記録し、かつその車輪用軸受１についての製造情報を記録する。この記録する製造情報には、各要素品２の鍛造工程、熱処理工程、研削工程のうちの少なくとも一つの工程における加工条件情報を含ませる。データベース１０を併用するため、ＩＣタグ９へ記録する製造情報は、ＩＣタグ９から直接に読取ることが便利な情報だけに限っても良い。例えば、車輪用軸受１についての製造年月日、製造場所、封入グリース銘柄、要素品間隙間、品質保証期間、取扱いに関する注意事項などは、ＩＣタグ９に記録しておくことが好ましい。
（情報読取り利用過程Ｒ３）
この過程では、上記出荷後の任意時に、ＩＣタグ９の記録情報を読み取って、その読み取り情報から、または読み取られた識別情報を上記データベース１０と照合してその照合により得られた情報から、購入材料の確認、製造工程の確認、その加工条件情報の確認、および検査成績の確認等のいずれかを行う。ＩＣタグ９やデータベース１０に記録されているその他の各種の利用を行っても良い。
【００８２】
この管理方法においても、出荷後の任意時の情報読取り利用過程Ｒ１で、鍛造工程、熱処理工程、研削工程等のいずれかの加工条件情報を確認することができる。そのため、厳しい品質，精度が求められる車輪用軸受１においても、技術的な解明等を容易に行うことができる。また、車輪用軸受１に取付けられたＩＣタグ９には、識別情報を記録し、データベース１０に上記識別情報と対応して各種の情報を記録するため、限りあるＩＣタグ９の記憶容量に頼らずに、多量の情報をデータベース１０から引き出すことができる。またＩＣタグ９の残りの記憶容量を、出荷後や客先納入後の各種の履歴管理等に利用することができる。この管理方法およびデータベース１０の詳細は、後に図１７以降の各図と共に説明する。
【００８３】
上記各実施形態において、製造情報の記録過程Ｒ２で記録するための各種の製造情報の収集は、製造時管理用のデータベース１４に記録しておいて、車輪用軸受１のＩＣタグ９に記録するようにしても良く、また車輪用軸受１に取付けられるＩＣタグ９とは別の製造過程用のＩＣタグ４を利用して行っても良い。製造過程用のＩＣタグ４は、車輪用軸受１に取付けらるＩＣタグ９と同様に、ＲＦＩＤタグ等が用いられるが、車輪用軸受１に取付けるＩＣタグ９に比べて、外形寸法の大きなものを用いることができる。
製造時管理用のデータベース１４に記録しておく方法では、車輪用軸受１の要素品２の材料購入から、鍛造工程、熱処理工程、研削工程、および検査に至る所定の製造情報を、製造時管理用のデータベース１４に要素品２のロット番号または要素品個別の識別番号に関連付けて記録する過程と、この記録した情報を、上記車輪用軸受１に取付けられたＩＣタグに記録する過程とを含む。なお、製造時管理用のデータベース１４は、例えば、コンピュータネットワークにおける１台または複数台のコンピュータ（図示せず）に設けられる。
【００８４】
製造過程用のＩＣタグ４を利用する方法は、後に図１７以降の各図と共に詳述するが、概略を示すと次のとおりである。この方法では、車輪用軸受１の要素品２の材料購入から鍛造工程、熱処理工程、および研削工程に至る所定の製造情報を、要素品２のロット番号別に準備された製造過程用のＩＣタグ４に各工程毎に記録する過程と、この記録した情報を読み取ってその読み取り情報の一部または全体を上記車輪用軸受１に取付けられたＩＣタグ９に記録する過程とを含む。製造過程用のＩＣタグ４に記録する製造情報として、鍛造工程、熱処理工程、および研削工程のうちの少なくとも一つの工程における加工条件情報を含むようにする。
【００８５】
製造過程用のＩＣタグ４を利用する方法は、特注品等のように個別に検査される車輪用軸受１の場合と、一般品等のようにロット別に検査される車輪用軸受１の場合とがある。一般的にはロット別検査とされる。図１７は個別検査品（特注品）の場合を示し、図１８はロット別検査品（一般品）の場合を示す。個別検査品（特注品）とロット別検査品（一般品）とで、研削工程後の検査、および組立後の検査が個別検査かロット別検査かで異なる他は、同じであるため、まず、個別検査品（特注品）について説明し、ロット別検査品（一般品）については、個別検査品（特注品）との違いを説明する。
【００８６】
この品質管理方法の管理対象とする車輪用軸受１は、複数種類の要素品２（(1) 〜(n) (nは自然数) ）を組み立てたものであって、それら複数種類の要素品２（(1) 〜(3))が、材料購入Ｓ１から、鍛造工程Ｓ２、熱処理工程Ｓ３、および研削工程Ｓ４、を経て製造されるものである。上記各要素品２（(1) 〜(n))は、図１に示すような内輪回転タイプのものである場合は、外輪３１、ハブ輪３２Ａ、内輪３２Ｂ、および転動体３３である。車輪用軸受１が図１４に示すような外輪回転タイプのものである場合、外輪３１Ａ、内輪３２Ｃ、および転動体３３である。
車輪用軸受１は、上記材料購入Ｓ１から、鍛造工程Ｓ２、熱処理工程Ｓ３、および研削工程Ｓ４を経て製造される要素品２とは別の要素品３を含むものであっても良い。別要素品としては、保持器３４（図１）およびシール３７，３８等がある。図７の例のようなセンサ付きの車輪用軸受１である場合は、センサ４８およびその他のセンサ関連部品も別の要素品３となる。
上記材料購入Ｓ１から、鍛造工程Ｓ２、熱処理工程Ｓ３、および研削工程Ｓ４の各工程は、材料購入から要素品の完成までを、大別した各区分のことであり、上記各工程が複数の工程からなる場合や、さらに工程名称に該当しない工程を含むものであっても良い。各工程Ｓ１〜Ｓ４の名称は、その区分した工程を代表する処理の名称である。
【００８７】
この管理方法は、上記各要素品２（(1) 〜(n))について次の各過程(1) 〜(4) を含み、各要素品２を組み立てた車輪用軸受１について、後述の過程を採る。なお、各工程のロットは、製造工程の下流側で分かれることがあるが、併合はしない。
(1) ．材料購入（Ｓ１）時の管理過程。
各要素品２の材料購入時に、材料ロット５別に準備されたＩＣタグ４に、対応する材料ロット５についての材料ロット番号、および購入材料に関する情報を記録する。
(2) ．鍛造工程（Ｓ２）の管理過程。
材料ロット５別のＩＣタグ４、またはこの材料ロット５別のＩＣタグ４の記録情報を引き継いだＩＣタグ４を鍛造ロット６別に準備し、これらＩＣタグ４に、対応する鍛造ロット６についての鍛造ロット番号、および鍛造工程で得られる情報を記録する。
(3) ．熱処理工程（Ｓ３）の管理過程。
鍛造ロット６別のＩＣタグ４、またはこの鍛造ロット６別のＩＣタグ４の記録情報を引き継いだＩＣタグ４を熱処理ロット７別に準備し、これらのＩＣタグ４に、対応する熱処理ロット７についての熱処理ロット番号、および熱処理工程で得られる情報を記録する。  (4) ．研削工程（Ｓ４）およびその後の検査工程時の管理過程。
熱処理ロット７別のＩＣタグ４、またはこの熱処理ロット７別のＩＣタグ４の記録情報を引き継いだＩＣタグ４を、研削ロット８別に準備し、これらのＩＣタグ４に、対応する研削ロット８についての加工条件の記録を行う。また、研削ロット８別のＩＣタグ４、またはこの研削ロット８別のＩＣタグ４の記録情報を引き継いだＩＣタグ４を、要素品２毎または検査の単位となる同種類の要素品２の組毎に準備し、これらＩＣタグ４に、対応する研削ロット番号、および検査工程で得られる情報を記録する。
【００８８】
上記各要素品２（(1) 〜(n))  を組み立てた各車輪用軸受１には、組立前から組立後に至る間に、完成後使用のためのＩＣタグ９を取付け、この車輪用軸受１に取付けられたＩＣタグ９に、個別の車輪用軸受１に特有の製造番号、および上記車輪用軸受１に用いられた各要素品２（(1) 〜(n))  の上記検査工程後のＩＣタグ４の記録情報のうち、少なくとも製造番号を記録する。データベース１０には上記製造番号と対応して、上記車輪用軸受１に用いられた各要素品２（(1) 〜（n)の上記検査工程後のＩＣタグ４の記録情報、および車輪用軸受１の完成後の検査情報を記録する。
【００８９】
上記各工程（Ｓ(1) 〜（Ｓ４）で用いられるＩＣタグ４は、各工程を通じて同じものであっても良く、工程によって別のＩＣタグ４を用い、前工程のＩＣタグの記録情報の転記をしても良い。下流側の工程でロットが別れる場合は、新たなＩＣタグ４を準備し、前の工程の記録情報の転記をしても良く、また予め、ロット分かれるロット数分だけＩＣタグ４を準備しておき、各工程を通じて同じＩＣタグ４に情報を追加記録するようにしても良い。
各工程（Ｓ(1) 〜（Ｓ４）において、ＩＣタグ４に記録される各ロット番号および各工程の情報は、図１９のように工程毎に追加されることになる。
【００９０】
各工程において、ＩＣタグ４は、例えば要素品２を入れる運搬用の容器類１１に取付けておく。容器類１１は、例えば、かご、箱、またはパレット等である。この場合に、ＩＣタグ４の容器類１１への取付は、直接に行っても良く、また図２４に示すように、容器類１１に取付けられる視覚による識別用のタグ１２に取付けても良い。ＩＣタグ４の容器類１１への取付は着脱自在な取付であっても良い。ＩＣタグ４を容器類１１に取付けておくことで、ロット毎に準備されるＩＣタグ４を、常に要素品２と共に移動させることができ、ＩＣタグ４の取扱が容易である。また、要素品２のコンベヤ等による搬送経路１３でＩＣタグへの情報の記録を行うことができる。
【００９１】
上記各管理過程の詳細を説明する。
(1) ．材料購入（Ｓ１）時の管理過程。
材料は、一般的には鋼材の塊、鋼板、鋼管、鋼線等の形態で購入される。購入した材料は例えば材料ロット単位で各種の品質検査を行う。この管理過程でＩＣタグ４に記録する購入材料の情報は材料の出所情報と品質情報とに分けられる。出所情報は、販売元の会社名や、その会社の工場所在地等である。品質情報は、組織硬さ、非金属介在物の情報等である。品質情報は、材料購入後に行った材料検査の結果をＩＣタグに記録するが、販売元から得た情報を記録しても、また両方を記録しても良い。この過程でのＩＣタグ４への情報の記録方法は、例えば購入管理コンピュータ（図示せず）等から得た情報を記録用の端末を介して行う。
【００９２】
(2) ．鍛造工程（Ｓ２）の管理過程。
鍛造工程（Ｓ２）は、車輪用軸受１の種類やその要素品２の種類によって種々の形態がある。図２２は車輪用軸受１の各要素品２の工程例を示す。内輪および外輪となる要素品２、あるいはハブ輪となる要素品２では、鍛造工程として（Ｓ２）、これら内輪，外輪，ハブ輪の粗形状に形成する鍛造と、その鍛造品を旋削する工程とを含む。鋼球等の転動体となる要素品２では、鍛造工程として（Ｓ２）として、型打ち、ブラッシング、および生研磨の工程が含まれる。
【００９３】
なお、図２２の例において、外輪およびハブ輪については、他の事業所で鍛造されたものを受け入れ、後の加工を行う例を示す。図２３の例は、ハブ輪および内輪を旋削品の状態で受け入れる例である。このように、車輪用軸受の製造工場としては、材料やその加工をある程度行っているものなど、各種の段階で受け入れることがある。鍛造品や旋削品の状態で受け入れる場合は、その鍛造品や旋削品を製造した製造元から製造情報を入手し、後にＩＣタグ４，９やデータベース１０，１４に記録する。この場合の製造情報としては、上記出所情報と品質情報とがあり、品質情報としては、旋削品の場合は旋削後の寸法情報等も含まれる。
【００９４】
鍛造工程（Ｓ２）でのＩＣタグ４への情報の記録は、鍛造工程（Ｓ２）の全体で１回としても良く、また鍛造工程（Ｓ２）の中の各工程毎に行うようにしても良い。例えば、要素品２が内輪，外輪，またはハブ輪であって、鍛造および旋削が行われる場合、旋削後に測定した幅寸法、内径寸法、溝寸法、面取寸法等の情報をＩＣタグ４に記録する。要素品２が転動体である場合、図２２，図２３の例では完成品を受け入れる場合を示すが、これを素材から製造する場合は、型打ちの後に寸法、歪、外観等の情報を記録し、ブラッシング後、および生研磨の後に、それぞれ測定を行って寸法、真球度、外観等の情報を記録する。また、加工条件情報を記録する。
【００９５】
この過程でのＩＣタグ４への情報の記録方法は、例えばこれらの鍛造工程（Ｓ２）等の各工程毎に用いられる工程管理用または検査管理用等の製造時管理用のデータベース１４（図２０）により、端末１５を介して行うようにする。オペレータによる手入力が必要な情報については、キーボード等の入力手段１６により、製造時管理用のデータベース１４を介して、または直接に端末１５から記録する。
前工程の材料ロット５よりも鍛造ロット６の方が多くなる場合は、新たなＩＣタグ４を準備し、これにＩＣタグ複製手段１７を用いて材料ロット５のＩＣタグ４の記録情報を転記し、この転記よって情報を受け継いだＩＣタグ４に対して鍛造工程の情報を記録する。以下の各工程においても、ロット数が増える場合は、上記と同様にして新たなＩＣタグ４に転記する。
【００９６】
(3) ．熱処理工程（Ｓ３）の管理過程。
熱処理を行ったときは、後に検査を行う。要素品２が内輪，外輪，ハブ輪の場合は、硬さ、変形、組織等の検査を行う。要素品２が転動体である場合は、硬さ、組織等の検査を行う。熱処理工程の情報としては、これらの検査結果を記録する。この他に熱処理条件等を記録しても良い。
【００９７】
(4) ．研削工程（Ｓ４）およびその後の検査工程時の管理過程。
研削工程（Ｓ４）は、車輪用軸受１の種類やその要素品２の種類によって種々の形態がある。要素品２が内輪，外輪，またはハブ輪である場合、研削工程（Ｓ４）として、幅研削、外径研削、溝研削、内径研削、溝超仕上げ等を行う。要素品２が転動体である場合は、粗研磨、中研磨、精研磨、ラッピング等を行う。これらの各工程では、その工程の完了品の検査を行う。ＩＣタグ４に記録する情報は、研削工程（Ｓ４）における上記の各工程毎の加工条件の情報等である。この加工条件の情報は、例えば砥石の種類や加工速度等である。研削工程が完了した後、検査を行い、その結果をＩＣタグ４に記録する。検査結果情報としては、各種の寸法、例えば、内外輪の幅研削では、寸法、幅不同、外観等であり、外輪の外径研削では外径寸法、真円度、円筒度、外観等である。内外輪の溝研削では、研削対象箇所の寸法、真円度、ラジアル振れ、アキシアル振れ、溝心差等である。内輪の内径研削では、内径寸法、真円度等である。内外輪の溝超仕上げでは寸法、外観等である。要素品２が転動体の場合は、研削工程（Ｓ４）における粗研削やその他の各工程後の検査結果の寸法や真円度等、研削工程（Ｓ４）の完了品である完成状態の要素品２の検査結果となる外観、寸法、真球度、径の相互差、硬さ、音響、顕微鏡検査結果等である。
【００９８】
研削工程（Ｓ４）では、特注品等の場合は全数検査であり、全数検査の場合、ＩＣタグ４は要素品２の個数だけ準備され、そのＩＣタグ４に対応する要素品２の研削ロット番号と、個々の検査結果等の情報を記録する。研削ロット番号に加えて、個々の要素品２を識別する番号を付加して記録しても良い。要素品２が転動体等のように一つの車輪用軸受１に多数用いられる場合は、一つの車輪用軸受１に用いられる要素品２の組、または各列毎に用いられる要素品２の組を一つの要素品２とみなして一つのＩＣタグ４を準備し、その組毎の情報を記録しても良い。
【００９９】
車輪用軸受１の組立、およびその後の管理過程。
上記のように製造された各要素品２は、組立工程で一つの車輪用軸受１に組み立てられる。この車輪用軸受１に、組立前から組立後に至る間に、前述のようにＩＣタグ９を取付ける。すなわち、要素品２の単独の状態でＩＣタグ９を取付けても、組立の完了後に取付けても良い。
【０１００】
各車輪用軸受１は、組立が完了すると、完成品検査として各種の検査を行う。この検査は、例えば上記ＩＣタグ９の取付後に行うが、取付形態によっては取付前に行っても良い。完成品検査としては、内径、外径、幅寸法、真円度、円筒度、ラジアル振れ、アキシアル振れ、横振れ、隙間等の各要因につき検査を行う。完成品検査は、特注品等の個別検査品の場合は、車輪用軸受１の全数につき行う。
【０１０１】
車輪用軸受１を組み立てる過程で、その車輪用軸受１を構成する各要素品２のＩＣタグ４の記録情報は、図２１のように、データベース１０により製造番号に対応して記録される。また、完成品検査の検査結果についても、製造番号に対応して記録される。製造番号は個別の車輪用軸受特有の番号であり、例えばシリアル番号とされる。車輪用軸受１が上記のような工程を経過しない別要素品（例えば保持器）３を含むものである場合、その別要素品３の情報もデータベース１０に記録する。
車輪用軸受１に上記のように取付けられたＩＣタグ９には、少なくとも上記の製造番号を記録する。このＩＣタグ９には、製造番号の他に、各要素品２のＩＣタグ４の記録情報や、完成品検査の結果等を記録しても良い。車輪用軸受１に取付けられたＩＣタグ９に、完成品検査の結果を記録する場合、検査工程でＩＣタグ９に検査結果を記録し、このＩＣタグ９からデータベース１０に情報を転記しても良い。また、車輪用軸受１だけでなく、車輪用軸受１の梱包７０（図１５）にもこのＩＣタグ９を取付け、製造番号等を記録しても良い。
【０１０２】
データベース１０は、図２１のようにコンピュータネットワーク１８上に設けられた管理コンピュータシステム１９に設けられる。このデータベース１０の記憶部１０ａに、各車輪用軸受１についての上記の記録情報Ｆが記録される。コンピュータネットワーク１８は、例えばインターネット等の広域ネットワークや、この広域ネットワークに工場内のローカルエリアネットワークが結合したものである。データベース１０は、記憶部１０ａとこの記憶部１０ａに対する入出力や検索の管理を行うデータベース管理部１０ｂとでなる。データベース１０は、概念的に一つの品質管理用のデータベースとして認識できるものであれば良く、物理的には複数に分かれたデータベースの集まりであっても、また他の各種の目的のデータベースと情報を共有するものであっても良い。例えば、データベース１０は、コンピュータネットワーク１８上に分散して設けられた複数のコンピュータで構成されるものであっても、また上記製造時管理用のデータベース１４や技術情報管理用等のデータベースと記録情報を共有するものであっても良い。
データベース１０は、ネットワーク１８を介して、車輪用軸受製造工場内の各情報処理機器の他に、技術部門や、倉庫、営業所、顧客企業の事業所の情報処理機器４０、および携帯端末等に接続されたものである。
【０１０３】
この品質管理方法によると、各要素品２の材料購入から車輪用軸受１の完成後の検査内容までの履歴情報が、管理コンピュータシステム１０に記憶され、車輪用軸受１に取付けられたＩＣタグ９には製造番号が記録されているため、製造番号を管理コンピュータシステム１０と照合することで、上記履歴情報を車輪用軸受と１対１の関係管理することができる。例えば、出荷後の任意の段階で、その車輪用軸受１の使用者や、保守サービスを行うもの等が、車輪用軸受１の履歴情報を知ることができる。車輪用軸受１１の各要素品２の製造工程毎に発生する情報は、工程毎にその工程のロット別に準備したＩＣタグ４にロット番号と共に記録するため、詳細な履歴情報を管理することができる。したがって技術的な解析や将来の改善等の対処が容易となり、寿命診断や、機械故障を防止する事前の対策も容易となる。
上記工程毎の情報は、その工程のロット毎に準備したＩＣタグ４に記録するため、手書き伝票に記録する場合に比べて詳細な情報の記録が行え、また例えば端末からコンピュータに入力する場合と異なり、情報を入力するべき箇所がＩＣタグ４であるために視覚的に認識できて、入力作業が明確となり、誤りが生じにくい。また、要素品２の材料購入から研削工程の各工程にわたる種々雑多な全ての情報をコンピュータに記録するものと異なり、生産工程ではこれらの記録情報をＩＣタグ４で持っておくため、コンピュータの負担が軽く、管理が容易になる。このため、容易に、より詳細な情報の管理することができる。
【０１０４】
また、車輪用軸受１の製造番号は、車輪用軸受１に取付けられたＩＣタグ９に記録するので、このＩＣタグ９の残った記憶領域を自由に使用でき、製造後の各種の用途、例えば出荷管理、流通管理、顧客管理、メンテナンス管理等に用いることができる。
すなわち車輪用軸受１は、図１５と共に前述したように、組立完成、検査、出荷の後、一般的に倉庫に配送され、営業所から顧客自動車メーカーへ納品される。特注品の場合は、出荷の後、直接に顧客に納品されることもある。顧客自動車メーカーでは、車輪用軸受１を自動車に組み込んで販売し、自動車を購入した自動車保有者が自動車の使用により車輪用軸受１を使用し、耐久年数等で廃棄することになる。このような各過程で、車輪用軸受１に取付けられたＩＣタグ９の製造番号を読み取って履歴情報を知る他に、ＩＣタグ９の残りの記憶領域を利用した各種の利用が図れる。
【０１０５】
つぎに、車輪用軸受１が一般品のようにロット別検査品である場合につき、図１８と共に説明する。ロット別検査品の管理では、各要素品２((1)〜(n) ) について、次の各過程((1)〜(3) ，(4) ′）を含み、各要素品２を組み立てた車輪用軸受１について、後述の過程を採る。材料購入から熱処理工程までの管理過程 (1)〜(3) は、ロット別検査品についても個別検査品と同じであるため、これらの管理過程 (1)〜(3) の説明は省略する。
(1) ．材料購入（Ｓ１）時の管理過程。
(2) ．鍛造工程（Ｓ２）の管理過程。
(3) ．熱処理工程（Ｓ３）の管理過程。
(4) ′．研削工程（Ｓ４）およびその後の検査工程時の管理過程。
研削工程（Ｓ４）の後の検査工程で、熱処理ロット７別のＩＣタグ４、またはこの熱処理ロット７別のＩＣタグ４の記録情報を引き継いだＩＣタグ４を、研削ロット８別に準備し、これらのＩＣタグ４に、対応する研削ロット８についての研削ロット番号および検査工程で得られる情報を記録する。研削工程（Ｓ４）における加工は、ロット別検査品も個別検査品も同じである。この管理過程(4) ′で記録する情報は研削ロット８別の検査結果の情報あるが、要素品２についても検査項目はロット別検査品も個別検査品も同じであり、それらの検査結果を記録する。検査項目をロット別検査品と個別検査品とで異ならせても良いが、それらの検査結果のＩＣタグ４への記録は、検査項目にかかわらずに同様に行う。
【０１０６】
車輪用軸受１の組立、およびその後の管理過程。
各要素品２を組み立てた各車輪用軸受１に、組立前から組立後に至る間にＩＣタグ９を取付け、この車輪用軸受１に取付けられたＩＣタグ９に、製造ロット番号、および上記車輪用軸受１に用いられた各要素品２（(1) 〜(n))の上記検査工程後のＩＣタグ４の記録情報のうち、少なくとも製造ロット番号を記録し、データベース１０に上記製造ロット番号と対応して、上記車輪用軸受１に用いられた各要素品２（(1) 〜(n))の上記検査工程後のＩＣタグ４の記録情報、および車輪用軸受１の完成後の検査情報を記録する。
なお、ロット別検査品の管理は、特に説明した事項の他は、個別検査品について説明した内容と同じ管理である。
【０１０７】
この管理方法の場合、車輪用軸受１の製造ロット別の管理となり、１対１の管理とはならないが、その他の事項については、上記第１の車輪用軸受の品質管理方法で説明した個別検査品についての場合と同じ各作用，効果が得られる。管理コンピュータ１０に対する照合は、車輪用軸受１に取付けられたＩＣタグ９から得られるロット番号で行う。
【図面の簡単な説明】
【０１０８】
【図１】この発明の実施形態に係る品質管理方法の管理対象となる車輪用軸受の一例を示す車輪用軸受の部分断面図である。
【図２】他の車輪用軸受の例の部分断面図、およびその一部の部分拡大図である。
【図３】さらに他の車輪用軸受の例の部分断面図である。
【図４】さらに他の車輪用軸受の例の部分断面図である。
【図５】さらに他の車輪用軸受の例の部分断面図である。
【図６】さらに他の車輪用軸受の例における保持器の部分正面図である。
【図７】さらに他の車輪用軸受の例におけるセンサ設置部付近の部分断面図である。
【図８】そのセンサの拡大正面図である。
【図９】そのセンサ取付リングの部分拡大側面図である。
【図１０】さらに他の車輪用軸受の例におけるシールの各例の断面図である。
【図１１】ＩＣタグとタグ交信器との関係を示す説明図である。
【図１２】ＩＣタグの回路例のブロック図である。
【図１３】ＩＣタグの読み出し態様例の説明図である。
【図１４】さらに他の車輪用軸受の例の断面図である。
【図１５】この発明の第１の実施形態に係る車輪用軸受の品質管理方法の説明図である。
【図１６】同車輪用軸受の品質管理方法におけるハブ輪の製造工程およびＩＣタグの取付過程を示す説明図である。
【図１７】同車輪用軸受の品質管理方法における要素品の管理に係る説明図である。
【図１８】同車輪用軸受の品質管理方法における要素品の他の方法による管理にかかる説明図である。
【図１９】各ＩＣタグの記録内容の変化を示す説明図である。
【図２０】要素品の製造工程中におけるＩＣタグへの記録形態の概念説明図である。
【図２１】データベースとＩＣタグの関係を示す説明図である。
【図２２】車輪用軸受の各要素品の製造過程の説明図である。
【図２３】車輪用軸受の各要素品の製造過程の他の例の説明図である。
【図２４】要素品の容器類とそのＩＣタグへの書き込み形態の概念を示す説明図である。
【符号の説明】
【０１０９】
１…車輪用軸受
２…要素品
３…別要素品
４…ＩＣタグ
５…材料ロット
６…鍛造ロット
９…ＩＣタグ
３１…外輪
３２…内方部材
３２Ａ…ハブ輪
３２Ａａ…アウトボード側端面
３２Ｂ…内輪
３３…転動体
３７，３８…シール
３９…車輪取付用のフランジ
４０…ボルト圧入孔
４１…車輪取付ボルト
４３…ホイールパイロット
４８…回転センサ
４７…エンコーダ
７０…梱包
【図１】
2006048469.tif 000003
【図２】
2006048469.tif 000004
【図３】
2006048469.tif 000005
【図４】
2006048469.tif 000006
【図５】
2006048469.tif 000007
【図６】
2006048469.tif 000008
【図７】
2006048469.tif 000009
【図８】
2006048469.tif 000010
【図９】
2006048469.tif 000011
【図１０】
2006048469.tif 000012
【図１１】
2006048469.tif 000013
【図１２】
2006048469.tif 000014
【図１３】
2006048469.tif 000015
【図１４】
2006048469.tif 000016
【図１５】
2006048469.tif 000017
【図１６】
2006048469.tif 000018
【図１７】
2006048469.tif 000019
【図１８】
2006048469.tif 000020
【図１９】
2006048469.tif 000021
【図２０】
2006048469.tif 000022
【図２１】
2006048469.tif 000023
【図２２】
2006048469.tif 000024
【図２３】
2006048469.tif 000025
【図２４】
2006048469.tif 000026